(57)【要約】  逆閉じ用傘（１０）を、一端側にハンドル（３０）を有する中棒（２０）と、中棒（２０）に外嵌して中棒（２０）に対して摺動可能に配設される第一ろくろ部（４０）と、第一ろくろ部（４０）に外嵌して第一ろくろ部（４０）に対して摺動可能に配設される第二ろくろ部（５０）と、第一ろくろ部（４０）に外嵌して第一ろくろ部（４０）に対して摺動可能に配設され第二ろくろ部（５０）より中棒（２０）の他端側に配設された第三ろくろ（６０）と、一端を第一ろくろ部（４０）に対して回動可能に支持された親骨（７０）と、一端を第二ろくろ部（５０）に対して回動可能に支持され他端を親骨（７０）と回動可能に支持される第一受骨（８０）と、一端が親骨（７０）の第一受骨（８０）を支持する部分より先端側において回動可能に支持され、他端が第三ろくろ（６０）に対して回動可能に支持される第二受骨（９０）と、を備える構成とする。
2014057732.tif 000002
【特許請求の範囲】
【請求項１】
一端側にハンドルを有する中棒と、前記中棒の外側に嵌められるとともに前記中棒に対して摺動可能に配設される第一ろくろ部と、前記第一ろくろ部の外側に嵌められるとともに前記第一ろくろ部に対して摺動可能に配設される第二ろくろ部と、を備えて三重軸構造に構成され、
一端を前記第一ろくろ部に対して回動可能に支持されるとともにかさ生地を装着した親骨と、
一端を前記第二ろくろ部に対して回動可能に支持されるとともに他端を親骨と回動可能に支持される第一受骨とを備え、
前記かさ生地を閉じている状態では、前記親骨は前記かさ生地とともに、前記中棒側に向かって折り畳まれて、前記かさ生地の表面が内部に収納された状態にあり、
前記第一ろくろ部を前記中棒に対して前記中棒の他端側に摺動させるとともに、前記第一ろくろ部を前記第二ろくろ部に対して前記中棒の他端側に摺動させることによって、前記親骨を前記第一受骨で支持固定して前記かさ生地を完全に開いた状態に作用させる逆閉じ用傘であって、
前記第一ろくろ部の外側に嵌められるとともに前記第一ろくろ部に対して摺動可能に配設され、前記第二ろくろ部より前記中棒の一端側に配設された第三ろくろを有し、
一端が前記親骨の前記第一受骨を支持する部分より先端側において回動可能に支持され、他端が前記第三ろくろに対して回動可能に支持される第二受骨を有していることを特徴とする逆閉じ用傘。
【請求項２】
前記親骨が、一端を前記第一ろくろ部に対して回動可能に支持される親骨元部と、一端を前記親骨元部の他端で回動可能に支持される親骨本体部と、を有し、
前記親骨本体部の長さが、前記中棒の軸線方向からみて、前記かさ生地を完全に開いた状態における、前記中棒から前記かさ生地の外周縁までの長さ以下の長さに形成され、
前記第二ろくろ部には、前記中棒の他端側方向に延びて前記親骨元部を収納可能な筒状の作動筒部が配設され、
前記親骨元部の前記第一ろくろ部に支持される部分が、前記かさ生地の閉じ時には前記作動筒部内に位置し、前記かさ生地を完全に開いた状態には前記作動筒部外に位置することを特徴とする請求項１記載の逆閉じ用傘。
【請求項３】
前記中棒内外を出入り可能に形成され、前記中棒の所定位置に前記第二ろくろ部を位置させるストッパー部材が配設され、
前記第一ろくろ部には、軸線方向に沿って溝が形成され、前記溝内を前記ストッパー部材が走行可能に配設され、
前記第二ろくろ部は、前記ストッパー部材と係合可能に形成され、
前記第一ろくろ部の前記中棒の一端側の端部には、前記第一ろくろ部を前記第二ろくろ部に対して前記中棒の他端側に摺動させる際に、前記第三ろくろと当接可能な当接部が配設され、
前記第二受骨又は前記親骨が伸縮可能に形成されていることを特徴とする請求項２記載の逆閉じ用傘。
【請求項４】
前記第一ろくろ部の外周面には、前記中棒の軸線方向と直交する方向に向かって突出するガイド部が配設され、
前記ガイド部の前記中棒の他端側の端部には、前記第二ろくろ部の前記中棒の一端側への移動を規制する係止部が配設され、
前記第一ろくろ部の前記中棒の他端側に位置する端部には、前記ストッパー部材を前記中棒内に押し込み可能に形成された解除部が配設され、
前記第二ろくろ部には、前記中棒の軸線方向に直交する方向に移動可能なロック部と、前記ストッパー部材と係合可能なロックプレート部と、が配設され、
前記ロック部には、前記係止部と係止する被係止部が配設され、
前記係止部と前記被係止部とが係止して、前記かさ生地を閉じた状態の時に前記第二ろくろ部が前記中棒の一端側に移動するのを規制して、
前記かさ生地を開く時に、前記ストッパー部材が前記解除部により前記中棒内に押し込まれて前記第一ろくろ部の前記溝内に進入して、前記ロックプレート部と係合することで前記第二ろくろ部が前記中棒の所定位置に停止するとともに、前記ストッパー部材が前記ロック部と当接して前記係止部と前記被係止部との係止を解除して、
前記かさ生地を完全に開いた状態から前記かさ生地を閉じる際に、前記ガイド部と前記被係止部とが摺動して前記第二ろくろ部を前記第一ろくろ部との係止状態に案内するとともに前記解除部が前記ストッパー部材と当接して前記ストッパー部材と前記ロックプレート部との係合を解除することで前記第二ろくろ部の前記中棒の所定位置での停止を解除することを特徴とする請求項３記載の逆閉じ用傘。
【請求項５】
前記中棒には、前記中棒の軸線方向と直交する方向に向かって突出するとともに、前記中棒の所定位置に前記第二ろくろ部を位置させるストッパーが、配設され、
前記第一ろくろ部には、軸線方向に沿って溝が形成され、前記溝内を前記ストッパーが走行可能に配設され、
前記第二ろくろ部は、前記ストッパーと係合可能に形成され、
前記第一ろくろ部の前記中棒の一端側の端部には、前記第一ろくろ部を前記第二ろくろ部に対して前記中棒の他端側に摺動させる際に、前記第三ろくろと当接可能な当接部が配設され、
前記第二受骨又は前記親骨が伸縮可能に形成されていることを特徴とする請求項２記載の逆閉じ用傘。
【請求項６】
前記第一ろくろ部の外周面には、前記中棒の軸線方向と直交する方向に向かって突出するガイド部が配設され、
前記ガイド部の前記中棒の他端側の端部には、前記第二ろくろ部の前記中棒の一端側への移動を規制する係止部が配設され、
前記第一ろくろ部の前記中棒の他端側に位置する端部には、前記ストッパーを前記溝内に誘導可能な誘導部が配設され、
前記第一ろくろ部の前記中棒の他端側には、前記ストッパーと前記第二ろくろ部との係合を解除可能とする解除部が配設され、
前記第二ろくろ部には、それぞれ円環状に形成され前記中棒の軸線を回動中心として回動可能な、第一円環プレート部と、前記第一円環プレート部より前記中棒の一端側に位置する第二円環プレート部と、が配設され、
前記第一円環プレート部には、前記ストッパーと係合可能な係合部と、前記解除部と当接して前記ストッパーと前記係合部との係合を解除する第一回動作用部が配設され、
前記第二円環プレート部には、前記係止部と係止する被係止部と、前記ストッパーと当接して前記係止部と前記被係止部との係止を解除する第二回動作用部が配設され、
前記係止部と前記被係止部とが係止して、前記かさ生地を閉じた状態の時に前記第二ろくろ部が前記中棒の一端側に移動するのを規制して、
前記かさ生地を開く時に、前記ストッパーが前記誘導部に誘導されて前記第一ろくろ部の前記溝内に進入して、前記係合部と当接して前記第一円環プレート部を回動させ、前記第一円環プレート部の前記係合部と係合することで前記第二ろくろ部を前記中棒の所定位置に停止させた後、前記ストッパーが第二回動作用部と当接して前記第二円環プレート部を回動させて前記係止部と前記被係止部との係止を解除して、
前記かさ生地を完全に開いた状態から前記かさ生地を閉じる際に、前記ガイド部と前記被係止部とが摺動して前記第二ろくろ部を前記第一ろくろ部との係止状態に案内するとともに前記解除部が前記第一回動作用部と当接して前記第一円環プレート部を回動させ、前記ストッパーと前記係合部との係合を解除することで、前記第二ろくろ部の前記中棒の所定位置での停止を解除することを特徴とする請求項５記載の逆閉じ用傘。
【請求項７】
前記第一ろくろ部の外周面には、前記中棒の軸線方向と直交する方向に向かって突出するガイド部が配設され、
前記ガイド部の前記中棒の他端側の端部には、前記第二ろくろ部の前記中棒の一端側への移動を規制する係止部が配設され、
前記第一ろくろ部の前記中棒の他端側に位置する端部には、前記ストッパーを前記溝内に誘導可能な誘導部が配設され、
前記第一ろくろ部の前記中棒の他端側には、前記ストッパーと前記第二ろくろ部との係合を解除可能とする解除部が配設され、
前記第二ろくろ部には、円環状に形成され前記中棒の軸線を回動中心として回動可能な、円環プレート部が配設され、
前記円環プレート部には、前記ストッパーと係合可能な係合部と、前記係止部と係止する被係止部と、前記解除部と当接して前記ストッパーと前記係合部との係合を解除する回動作用部と、が配設され、
前記係止部と前記被係止部とが係止して、前記かさ生地を閉じた状態の時に前記第二ろくろ部が前記中棒の一端側に移動するのを規制して、
前記かさ生地を開く時に、前記ストッパーが前記誘導部に誘導されて前記第一ろくろ部の前記溝内に進入して、前記係合部と当接して前記円環プレート部を回動させ、前記係止部と前記被係止部との係止を解除した後、前記円環プレート部の前記係合部と係合することで前記第二ろくろ部が前記中棒の所定位置に位置して、
前記かさ生地を完全に開いた状態から前記かさ生地を閉じる際に、前記ガイド部と前記被係止部とが摺動して前記第二ろくろ部を前記第一ろくろ部との係止状態に案内するとともに前記解除部が前記回動作用部と当接して前記円環プレート部が回動して、前記ストッパーと前記円環プレート部の前記係合部との係合を解除することで、前記第二ろくろ部の前記中棒の所定位置での停止を解除することを特徴とする請求項５記載の逆閉じ用傘。
【請求項８】
前記第二ろくろ部には、内周側から前記中棒の軸線に向かって突出して、前記中棒の所定位置に前記第二ろくろ部を位置させる突出片が配設され、
前記第一ろくろ部には、軸線方向に沿って第一の溝が形成され、
前記中棒には、軸線方向に沿って第二の溝が形成され、
前記突出片が、前記第一の溝内及び前記第二の溝内を、挿通するとともに走行可能に配設され、
前記突出片は、前記第二の溝の前記中棒の他端側の端部と係合可能に形成され、
前記第一ろくろ部の前記中棒の一端側の端部には、前記第一ろくろ部を前記第二ろくろ部に対して前記中棒の他端側に摺動させる際に、前記第三ろくろと当接可能な当接部が配設され、
前記第二受骨又は前記親骨が伸縮可能に形成されていることを特徴とする請求項２記載の逆閉じ用傘。
【請求項９】
前記第一ろくろ部の外周面には、前記中棒の軸線方向と直交する方向に向かって突出するガイド部が配設され、
前記ガイド部の前記中棒の他端側の端部には、前記第二ろくろ部の前記中棒の一端側への移動を規制する係止部が配設され、
前記第一ろくろ部の前記中棒の他端側には、前記中棒との係合を解除可能とする第一解除部が配設され、
前記第二ろくろ部には、
円環状に形成され前記中棒の軸線を回動中心として回動可能な第一円環プレート部と、
前記第一円環プレート部より前記中棒の一端側に位置して、円環状に形成され前記中棒の軸線を回動中心として回動可能な第二円環プレート部と、
第一円環プレート部と第二円環プレート部との間に配置され、前記中棒の軸線方向に沿って移動可能な解除プレート部と、
が配設され、
前記第二の溝は、前記中棒の他端側の端部に、前記突出片の前記中棒の軸線方向での移動を規制可能に屈曲する屈曲部を有し、
前記第一の溝は、前記中棒の他端側が他の部分より幅広に形成された幅広部を有し、前記幅広部は、前記突出片を前記屈曲部側に移動可能に形成された突出片ガイド部を備え、
前記第一円環プレート部には、前記屈曲部と係合可能な前記突出片と、前記第一解除部と当接して前記突出片と前記屈曲部との係合を解除する第一回動作用部と、が配設され、
前記解除プレート部には、前記第二ろくろ部の前記中棒の一端側への移動の規制を解除する第二解除部が配設され、
前記第二円環プレート部には、前記係止部と係止する被係止部と、前記第二解除部と当接して前記係止部と前記被係止部との係止を解除する第二回動作用部と、が配設され、
前記係止部と前記被係止部とが係止して、前記かさ生地を閉じた状態の時に前記第二ろくろ部が前記中棒の一端側に移動するのを規制して、
前記かさ生地を開く時に、前記突出片が、前記第二の溝の前記中棒の他端側の端部と当接して前記解除プレート部を前記中棒の一端側に移動させ、前記解除プレート部の前記第二解除部が第二回動作用部と当接して前記第二円環プレート部を回動させて前記係止部と前記被係止部との係止を解除するとともに、前記第一円環プレート部の前記突出片が、前記突出片ガイド部によりガイドされて、前記屈曲部と係合することで前記第二ろくろ部が前記中棒の所定位置に位置して、
前記かさ生地を完全に開いた状態から前記かさ生地を閉じる際に、前記ガイド部と前記被係止部とが摺動して前記第二ろくろ部を前記第一ろくろ部との係止状態に案内するとともに前記第一解除部が前記第一回動作用部と当接して前記第一円環プレート部が回動して、前記屈曲部と前記突出片との係合を解除することで、前記第二ろくろ部の前記中棒の所定位置での停止を解除することを特徴とする請求項８記載の逆閉じ用傘。
【請求項１０】
前記かさ生地が、主かさ生地と、補助かさ生地と、を有して袋状に形成され、
前記補助かさ生地が、前記中棒の軸線方向からみて、前記かさ生地を完全に開いた状態において、前記中棒から所定範囲で前記主かさ生地と重ねられ、外周縁部で前記主かさ生地と縫合され、
前記主かさ生地が、前記中棒の他端側の端部と装着され、前記補助かさ生地が、前記第一ろくろ部の前記中棒の他端側の端部と装着され、
又は、
前記主かさ生地が、前記第一ろくろ部の前記中棒の他端側の端部と装着され、前記補助かさ生地が、前記中棒の他端側の端部と装着されていることを特徴とする請求項１〜９のいずれかに記載の逆閉じ用傘。
【請求項１１】
前記ハンドルが、前記中棒の一端側の端部から延設され、前記ハンドルの持ち手部分が、前記中棒の軸線から外れた位置にあることを特徴とする請求項１０記載の逆閉じ用傘。
【請求項１２】
前記ハンドルが、着脱可能に形成され、前記中棒の両端部に装着可能に形成されていることを特徴とする請求項１１に記載の逆閉じ用傘。
【発明の詳細な説明】
【技術分野】
【０００１】
本発明は、雨に濡れた面を内部に収納できる逆閉じ用傘に関する。
【背景技術】
【０００２】
従来の逆閉じ用傘として、本出願人が先にした特許文献１に記載されたものがある。これによれば、逆閉じ用傘は、傘開閉部と、傘開閉部を挿通するメインシャフトとを有して構成され、傘開閉部には、メインシャフトを外嵌するスライダシャフトとスライダシャフトを外嵌するシリンダシャフトとが配置されている。スライダシャフトの先端には、主骨及び防水布の一端が装着され、主骨の中間部には第１支骨の一端が枢着されている。また、第１支骨の他端は、シリンダシャフトの元部に枢着されている。さらに第１支骨の中間部には、第２支骨が摺動可能に装着されている。第２支骨の他端は主骨に枢着して配置されていた。
【先行技術文献】
【特許文献】
【０００３】
【特許文献１】特開２０１１−５２２４号公報
【発明の概要】
【発明が解決しようとする課題】
【０００４】
しかし、上記の逆閉じ用傘では、第２支骨が、第１支骨の支骨嵌入溝内に摺動可能に形成されているため、第１支骨の強度が不足するとともに、第２支骨のメインシャフトの軸線方向への移動が、第１支骨の支骨嵌入溝により制限され、主骨がメインシャフトの軸線と直交する位置となる前後に大きな力が必要となり、防水布の開閉動作がスムーズに行なえないおそれがあり、さらなる改良が望まれていた。【０００５】
本発明は、上記事情に鑑みて、第一受骨（特許文献１における第１支骨）の強度を確保しつつ、かさ生地（特許文献１における防水布）の開閉動作をスムーズに行える逆閉じ用傘を提供するものである。
【課題を解決するための手段】
【０００６】
請求項１記載の発明では、一端側にハンドルを有する中棒と、中棒の外側に嵌められるとともに中棒に対して摺動可能に配設される第一ろくろ部と、第一ろくろ部の外側に嵌められるとともに第一ろくろ部に対して摺動可能に配設される第二ろくろ部と、を備えて三重軸構造に構成され、一端を第一ろくろ部に対して回動可能に支持されるとともにかさ生地を装着した親骨と、一端を第二ろくろ部に対して回動可能に支持されるとともに他端を親骨と回動可能に支持される第一受骨とを備え、かさ生地を閉じている状態では、親骨はかさ生地とともに、中棒側に向かって折り畳まれて、かさ生地の表面が内部に収納された状態にあり、第一ろくろ部を中棒に対して中棒の他端側に摺動させるとともに、第一ろくろ部を第二ろくろ部に対して中棒の他端側に摺動させることによって、親骨を第一受骨で支持固定してかさ生地を完全に開いた状態に作用させる逆閉じ用傘であって、第一ろくろ部の外側に嵌められるとともに第一ろくろ部に対して摺動可能に配設され、第二ろくろ部より中棒の一端側に配設された第三ろくろを有し、一端が親骨の第一受骨を支持する部分より先端側において回動可能に支持され、他端が第三ろくろに対して回動可能に支持される第二受骨を有している。【０００７】
これによれば、かさ生地を閉じた時からかさ生地を完全に開いた状態の時までの親骨の一連の動作において、第二受骨の親骨との支持部分の移動の軌跡は、第一受骨の親骨との支持部分の移動の軌跡とは異なり、親骨の回動に支障をきたすため、両者の動きを何らかの手段で調整をする必要がある。すなわち、逆閉じ用傘の骨組部分を、中棒の軸線方向に沿って移動可能な第二ろくろ部に加え、中棒の軸線方向に沿って移動可能とする第三ろくろを用いて、第二受骨の親骨との支持部分の動きと第一受骨の親骨との支持部分の動きとを調整するスライダクランク構造体として、親骨の回動をスムーズなものとさせている。【０００８】
よって、第一受骨（特許文献１における第１支骨）に溝を形成しなくてすむので、第一受骨の強度を確保しつつ、親骨の回動をスムーズにさせ、かさ生地の開閉動作をスムーズに行うことができる。【０００９】
また、親骨が、一端を第一ろくろ部に対して回動可能に支持される親骨元部と、一端を親骨元部の他端で回動可能に支持される親骨本体部と、を有し、親骨本体部の長さが、中棒の軸線方向からみて、かさ生地を完全に開いた状態における、中棒からかさ生地の外周縁までの長さ以下の長さに形成され、第二ろくろ部には、中棒の他端側方向に延びて親骨元部を収納可能な筒状の作動筒部が配設され、親骨元部の第一ろくろ部に支持される部分が、かさ生地の閉じ時には作動筒部内に位置し、かさ生地を完全に開いた状態には作動筒部外に位置することとしている。【００１０】
これによれば、親骨元部の第一ろくろ部に支持される部分が、かさ生地の閉じ時には作動筒部内に位置している間、換言すれば、親骨元部が作動筒部の内側で当接する間は、親骨元部が回動するのを規制し、親骨本体部のみを回動させ開かせる。親骨の開きが、親骨本体部のみに規制され、親骨元部の第一ろくろ部に支持される部分が、作動筒部外に移動することにより、親骨元部が回動してかさ生地を完全に開いた状態にする。【００１１】
特に親骨が、かさ生地を完全に開いた状態における、中棒からかさ生地の外周縁までの長さを超え、かさ生地を完全に開いた状態の時に親骨がハンドル側に湾曲するような逆閉じ用傘の場合に、親骨を、親骨本体部のみ開かせる段階と、親骨元部を開かせる段階を経る構成とすることで、開閉動作をスムーズに行うことができる。【００１２】
また、中棒内外を出入り可能に形成され、中棒の所定位置に第二ろくろ部を位置させるストッパー部材が配設され、第一ろくろ部には、軸線方向に沿って溝が形成され、溝内をストッパー部材が走行可能に配設され、第二ろくろ部は、ストッパー部材と係合可能に形成され、第一ろくろ部の中棒の一端側の端部には、第一ろくろ部を第二ろくろ部に対して中棒の他端側に摺動させる際に、第三ろくろと当接可能な当接部が配設され、第二受骨又は親骨が伸縮可能に形成されている。【００１３】
これによれば、ストッパー部材により中棒の所定位置に第二ろくろ部を位置させて、当接部が第三ろくろと当接して、第三ろくろを中棒の他端側に摺動させるとともに第二受骨を動作に対応した長さに縮小させ、又は、親骨を動作に対応した長さに伸長させるので、親骨の回動がスムーズになり、かさ生地の開閉動作をスムーズに行うことに寄与する。【００１４】
さらに、当接部が第三ろくろを受け止めて押し上げることにより、第二受骨が親骨を押し込んで支持するとともにかさ生地に張力を与え、かさ生地の張り具合を良好なものとすることができる。【００１５】
また、第一ろくろ部の外周面には、中棒の軸線方向と直交する方向に向かって突出するガイド部が配設され、ガイド部の中棒の他端側の端部には、第二ろくろ部の中棒の一端側への移動を規制する係止部が配設され、第一ろくろ部の中棒の他端側に位置する端部には、ストッパー部材を中棒内に押し込み可能に形成された解除部が配設され、第二ろくろ部には、中棒の軸線方向に直交する方向に移動可能なロック部と、ストッパー部材と係合可能なロックプレート部と、が配設され、ロック部には、ガイド部の係止部と係止する被係止部が配設され、係止部と被係止部とが係止して、かさ生地を閉じた状態の時に第二ろくろ部が中棒の一端側に移動するのを規制して、かさ生地を開く時に、ストッパー部材が解除部により中棒内に押し込まれて第一ろくろ部の溝内に進入してロックプレート部と係合することで第二ろくろ部が中棒の所定位置に停止するとともに、ストッパー部材がロック部と当接して係止部と被係止部との係止を解除して、かさ生地を完全に開いた状態からかさ生地を閉じる際に、ガイド部と被係止部とが摺動して第二ろくろ部を係止状態に案内するとともに解除部がストッパー部材と当接してストッパー部材とロックプレート部との係合を解除することで第二ろくろ部の中棒の所定位置での停止を解除する構成としている。【００１６】
これによれば、かさ生地を開く時には、ストッパー部材を解除部により中棒内に押し込んで第一ろくろ部の溝内に進入させることでストッパー部材とロックプレート部とを係合させるとともに、係止部と被係止部との係止を解除して、第一ろくろ部を第二ろくろ部に対して摺動させることができる。また、かさ生地を閉じる時には、第一ろくろ部を第二ろくろ部に対して摺動させることで、ガイド部の係止部と、ロック部の被係止部が係止されて、第二ろくろ部が中棒の一端側に移動するのを規制できるので、かさ生地の開閉動作の操作性を高めることができる。【００１７】
また、かさ生地を閉じる際に、中棒と第一ろくろ部との係止が解除され、第一ろくろ部を第二ろくろ部に対して摺動可能な状態から、第二ろくろ部を係止状態に案内して、解除部が第二ろくろ部の中棒の所定位置での停止を解除することでかさ生地の閉じ時の動作を円滑かつ安定させることができる。【００１８】
また、中棒には、中棒の軸線方向と直交する方向に向かって突出するとともに、中棒の所定位置に第二ろくろ部を位置させるストッパーが、配設され、第一ろくろ部には、軸線方向に沿って溝が形成され、溝内をストッパーが走行可能に配設され、第二ろくろ部は、ストッパーと係合可能に形成され、第一ろくろ部の中棒の一端側の端部には、第一ろくろ部を第二ろくろ部に対して中棒の他端側に摺動させる際に、第三ろくろと当接可能な当接部が配設され、第二受骨又は親骨が伸縮可能に形成されている。【００１９】
このような構成としても、親骨の回動がスムーズになり、かさ生地の開閉動作をスムーズに行うことに寄与するとともに、かさ生地の張り具合を良好なものとすることができる。【００２０】
また、第一ろくろ部の外周面には、中棒の軸線方向と直交する方向に向かって突出するガイド部が配設され、ガイド部の中棒の他端側の端部には、第二ろくろ部の中棒の一端側への移動を規制する係止部が配設され、第一ろくろ部の中棒の他端側に位置する端部には、ストッパーを溝内に誘導可能な誘導部が配設され、第一ろくろ部の中棒の他端側には、ストッパーと第二ろくろ部との係合を解除可能とする解除部が配設され、第二ろくろ部には、円環状に形成され中棒の軸線を回動中心として回動可能な、第一円環プレート部と、第一円環プレート部より中棒の一端側に位置する第二円環プレート部と、が配設され、第一円環プレート部には、ストッパーと係合可能な係合部と、解除部と当接してストッパーと係合部との係合を解除する第一回動作用部が配設され、第二円環プレート部には、係止部と係止する被係止部と、ストッパーと当接して係止部と被係止部との係止を解除する第二回動作用部が配設され、係止部と被係止部とが係止して、かさ生地を閉じた状態の時に第二ろくろ部が中棒の一端側に移動するのを規制して、かさ生地を開く時に、ストッパーが誘導部に誘導されて第一ろくろ部の溝内に進入して、係合部と当接して第一円環プレート部を回動させ、第一円環プレート部の係合部と係合することで第二ろくろ部を中棒の所定位置に停止させた後、ストッパーが第二回動作用部と当接して第二円環プレート部を回動させて係止部と被係止部との係止を解除して、かさ生地を完全に開いた状態からかさ生地を閉じる際に、ガイド部と被係止部とが摺動して第二ろくろ部を第一ろくろ部との係止状態に案内するとともに解除部が第一回動作用部と当接して第一円環プレート部を回動させ、ストッパーと係合部との係合を解除することで、第二ろくろ部の中棒の所定位置での停止を解除する構成としている。【００２１】
これによれば、かさ生地の開閉動作の操作性を高め、かさ生地の閉じ時の動作を円滑かつ安定させることができる。【００２２】
さらに、円環状の第一円環プレート部、第二円環プレート部を用いることにより、係合部、被係止部の移動が、中棒の軸線を中心とする回転運動となり、直線運動させる場合に比べデッドスペースを減少させることができ、第二ろくろ部のサイズを小さくすることが可能となる。【００２３】
また、第一ろくろ部の外周面には、中棒の軸線方向と直交する方向に向かって突出するガイド部が配設され、ガイド部の中棒の他端側の端部には、第二ろくろ部の中棒の一端側への移動を規制する係止部が配設され、第一ろくろ部の中棒の他端側に位置する端部には、ストッパーを溝内に誘導可能な誘導部が配設され、第一ろくろ部の中棒の他端側には、ストッパーと第二ろくろ部との係合を解除可能とする解除部が配設され、第二ろくろ部には、円環状に形成され中棒の軸線を回動中心として回動可能な、円環プレート部が配設され、円環プレート部には、ストッパーと係合可能な係合部と、係止部と係止する被係止部と、解除部と当接してストッパーと係合部との係合を解除する回動作用部と、が配設され、係止部と被係止部とが係止して、かさ生地を閉じた状態の時に第二ろくろ部が中棒の一端側に移動するのを規制して、かさ生地を開く時に、ストッパーが誘導部に誘導されて第一ろくろ部の溝内に進入して、係合部と当接して円環プレート部を回動させ、係止部と被係止部との係止を解除した後、円環プレート部の係合部と係合することで第二ろくろ部が中棒の所定位置に停止して、かさ生地を完全に開いた状態からかさ生地を閉じる際に、ガイド部と被係止部とが摺動して第二ろくろ部を第一ろくろ部との係止状態に案内するとともに解除部が回動作用部と当接して円環プレート部が回動して、ストッパーと係合部との係合を解除することで、第二ろくろ部の中棒の所定位置での停止を解除する構成としている。【００２４】
このような構成としても、かさ生地の開閉動作の操作性を高め、かさ生地の閉じ時の動作を円滑かつ安定させることができる。【００２５】
さらに、円環状の円環プレート部を用いることにより、係合部、被係止部の移動が、中棒の軸線を中心とする回転運動となり、直線運動させる場合に比べデッドスペースを減少させることができ、第二ろくろ部のサイズを小さくすることが可能となる。【００２６】
また、第二ろくろ部には、内周側から中棒の軸線に向かって突出して、中棒の所定位置に第二ろくろ部を位置させる突出片が配設され、第一ろくろ部には、軸線方向に沿って第一の溝が形成され、中棒には、軸線方向に沿って第二の溝が形成され、突出片が、第一の溝内及び第二の溝内を、挿通するとともに走行可能に配設され、突出片は、第二の溝の中棒の他端側の端部と係合可能に形成され、第一ろくろ部の中棒の一端側の端部には、第一ろくろ部を第二ろくろ部に対して中棒の他端側に摺動させる際に、第三ろくろと当接可能な当接部が配設され、第二受骨又は親骨が伸縮可能に形成されている。【００２７】
このような構成としても、かさ生地の開閉動作をスムーズに行うことに寄与するとともに、かさ生地の張り具合を良好なものとすることができる。【００２８】
また、第一ろくろ部の外周面には、中棒の軸線方向と直交する方向に向かって突出するガイド部が配設され、ガイド部の中棒の他端側の端部には、第二ろくろ部の中棒の一端側への移動を規制する係止部が配設され、第一ろくろ部の中棒の他端側には、中棒との係合を解除可能とする第一解除部が配設され、第二ろくろ部には、円環状に形成され中棒の軸線を回動中心として回動可能な第一円環プレート部と、第一円環プレート部より中棒の一端側に位置して、円環状に形成され中棒の軸線を回動中心として回動可能な第二円環プレート部と、第一円環プレート部と第二円環プレート部との間に配置され、中棒の軸線方向に沿って移動可能な解除プレート部と、が配設され、第二の溝は、中棒の他端側の端部に、突出片の前記中棒の軸線方向での移動を規制可能に屈曲する屈曲部を有し、
前記第一の溝は、前記中棒の他端側が他の部分より幅広に形成された幅広部を有し、幅広部は、突出片を屈曲部側に移動可能に形成された突出片ガイド部を備え、第一円環プレート部には、屈曲部と係合可能な突出片と、第一解除部と当接して突出片と屈曲部との係合を解除する第一回動作用部が配設され、解除プレート部には、第二ろくろ部の中棒の一端側への移動の規制を解除する第二解除部が配設され、第二円環プレート部には、係止部と係止する被係止部と、第二解除部と当接して係止部と被係止部との係止を解除する第二回動作用部と、が配設され、係止部と被係止部とが係止して、かさ生地を閉じた状態の時に第二ろくろ部が中棒の一端側に移動するのを規制して、かさ生地を開く時に、突出片が、第二の溝の中棒の他端側の端部と当接して解除プレート部を中棒の一端側に移動させ、解除プレート部の第二解除部が第二回動作用部と当接して第二円環プレート部を回動させて係止部と被係止部との係止を解除するとともに、第一円環プレート部の突出片が、突出片ガイド部によりガイドされて、屈曲部と係合することで第二ろくろ部が中棒の所定位置に停止して、かさ生地を完全に開いた状態からかさ生地を閉じる際に、ガイド部と被係止部とが摺動して第二ろくろ部を係止状態に案内するとともに第一解除部が第一回動作用部と当接して屈曲部と第一円環プレート部の突出片との係合を解除することで、第二ろくろ部の中棒の所定位置での停止を解除する構成としている。【００２９】
このような構成としても、かさ生地の開閉動作の操作性を高め、かさ生地の閉じ時の動作を円滑かつ安定させることができる。【００３０】
さらに、円環状の第一円環プレート部、第二円環プレート部を用いることにより、突出片、被係止部の移動が、中棒の軸線を中心とする回転運動となり、直線運動させる場合に比べデッドスペースを減少させることができ、第二ろくろ部のサイズを小さくすることが可能となる。【００３１】
また、かさ生地が、主かさ生地と、補助かさ生地と、を有して袋状に形成され、補助かさ生地が、中棒の軸線方向からみて、かさ生地を完全に開いた状態において、中棒から所定範囲で主かさ生地と重ねられ、外周縁部で主かさ生地と縫合され、主かさ生地が、中棒の他端側の端部と装着され、補助かさ生地が、第一ろくろ部の中棒の他端側の端部と装着され、又は、主かさ生地が、第一ろくろ部の中棒の他端側の端部と装着され、補助かさ生地が、中棒の他端側の端部と装着される構成としている。【００３２】
これにより、かさ生地を閉じる際に、第一ろくろ部をハンドル側に摺動させると、第一ろくろ部の中棒の他端側の端部に装着される主かさ生地又は補助かさ生地が、中棒の軸線方向に沿って中棒の一端側に引っ張られて、袋状に形成される主かさ生地及び補助かさ生地が、中棒の軸線に直交する方向、換言すれば、中棒に向かって引き寄せられ、親骨を中棒に向かって閉じるように付勢するとともにかさ生地の体裁を良好なものとすることができる。この場合、かさ生地を閉じる際に、中棒の軸線に直交する方向からみて、主かさ生地と補助かさ生地との縫合部分で屈曲してかさ生地がＷ字状になり、かさ生地の谷となる部分で雨水を受け止め、雨水がハンドル側に進入することを防止することができる。【００３３】
また、ハンドルを、中棒の一端側の端部から延設して、ハンドルの持ち手部分が、中棒の軸線から外れた位置にあるようにすれば、第一ろくろ部の摺動範囲を中棒の一端側の端縁に近づけることが可能となり、逆閉じ用傘全体の中棒の軸線方向の長さを短くすることができる。【００３４】
また、ハンドルを、着脱可能に形成し、中棒の両端部に装着可能に形成すれば、傘を閉じるときにハンドルを中棒の他端側に付け替えて、傘を持ち運ぶ際に内部にたまった雨水を落下させなくすることができる。
【図面の簡単な説明】
【００３５】
【図１】本発明における一実施形態の逆閉じ用傘を閉じた状態の正面図である。
【図２】逆閉じ用傘を開く際の動作の説明図である。
【図３】逆閉じ用傘を開く際の動作の説明図である。
【図４】逆閉じ用傘を開く際の動作の説明図である。
【図５】逆閉じ用傘を開く際の動作の説明図である。
【図６】本発明における一実施形態の逆閉じ用傘を開いた状態の正面図である。
【図７】逆閉じ用傘を閉じる際の動作の説明図である。
【図８】逆閉じ用傘を閉じる際の動作の説明図である。
【図９】逆閉じ用傘を閉じ終わった状態の正面図である。
【図１０】図１における第二ろくろ部周辺の動作説明図である。
【図１１】図２における第二ろくろ部周辺の動作説明図である。
【図１２】図３における第二ろくろ部周辺の動作説明図である。
【図１３】図４における第二ろくろ部周辺の動作説明図である。
【図１４】図６における第二ろくろ部周辺の動作説明図である。
【図１５】図７における第二ろくろ部周辺の動作説明図である。
【図１６】図８における第二ろくろ部周辺の動作説明図である。
【図１７】図９における第二ろくろ部周辺の動作説明図である。
【図１８】第一ろくろ部、第二ろくろ部、ストッパー部材の分解斜視図である。
【図１９】第一ろくろ部、親骨、第一受骨、第二受骨と逆閉じ用傘を開いた状態の関係を示す部分拡大図である。
【図２０】第一ろくろ部、第三ろくろ、親骨、第一受骨、第二受骨と逆閉じ用傘を閉じた状態の関係を示す部分拡大図である。
【図２１】（ａ）閉じた状態のかさ生地の装着状態をあわらし、（ｂ）開いた状態をあらわす概念図である。
【図２２】本発明における一実施形態の逆閉じ用傘の変形例の閉じた状態の正面図である。
【図２３】本発明における一実施形態の逆閉じ用傘の変形例の開く途中の状態の正面図である。
【図２４】本発明における一実施形態の逆閉じ用傘の変形例の開いた状態の正面図である。
【図２５】本発明における逆閉じ用傘の第二ろくろ部の第一の変形例の閉じた状態の正面図である。
【図２６】第一の変形例の第一ろくろ部の（ａ）は平面図、（ｂ）は底面図、（ｃ）は側面図、（ｄ）は（ａ）を９０度回転させた平面図、（ｅ）は（ｂ）を９０度回転させた底面図、（ｆ）は（ｃ）を９０度回転させた正面図である。
【図２７】第一の変形例の分解斜視図である。
【図２８】第一の変形例の（ａ）は中棒、第一ろくろ部の平面図、（ｂ）は（ａ）を平面視において９０度回転させた図、第二ろくろ部を分解した状態における（ｃ）が縦断面図、（ｄ）が平面図、（ｄ）は（ｃ）を９０度回転させた図である。
【図２９】第一の変形例の第二ろくろ部の、左列が平面図、側面図であり、右列が９０度回転させたときの平面図、正面図である。
【図３０】第一の変形例の第二ろくろ部周辺の動作説明図である。
【図３１】第一の変形例の第二ろくろ部周辺の動作説明図である。
【図３２】第一の変形例の第二ろくろ部周辺の動作説明図である。
【図３３】第一の変形例の第二ろくろ部周辺の動作説明図である。
【図３４】第一の変形例の第二ろくろ部周辺の動作説明図である。
【図３５】本発明における逆閉じ用傘の第二ろくろ部の第二の変形例の左側が側面図であり、右側が正面図である。
【図３６】第二の変形例の第二ろくろ部を分解した状態における左列が縦断面図、中央列が平面図、右列が縦断面図を９０度回転させた断面図である。
【図３７】本発明における逆閉じ用傘の第二ろくろ部の第三の変形例の中棒、ハンドルの正面図である。
【図３８】第三の変形例の第一ろくろ部の正面図、側面図である。
【図３９】第三の変形例の、解除プレート部を除いて、斜め上からみた分解斜視図である。解除プレート部は斜め下からみた分解斜視図である。
【図４０】第三の変形例の左側が正面図であり、右側が側面図である。
【図４１】第三の変形例の第二ろくろ部を分解した状態における左列が縦断面図、中央列が平面図、右列が縦断面図を９０度回転させた断面図である。
【図４２】第三の変形例の第二ろくろ部周辺の動作説明図である。
【図４３】第三の変形例の第二ろくろ部周辺の動作説明図である。
【図４４】第三の変形例の第二ろくろ部周辺の動作説明図である。
【図４５】第三の変形例の第二ろくろ部周辺の動作説明図である。
【図４６】第三の変形例の第二ろくろ部周辺の動作説明図である。
【図４７】第三の変形例の第二ろくろ部周辺の動作説明図である。
【図４８】第三の変形例の第二ろくろ部周辺の動作説明図である。
【発明を実施するための形態】
【００３６】
本発明における逆閉じ用傘の一実施形態を図面に基づいて説明する。以下の説明では、図１紙面における上下を上下方向、図１紙面における左右を左右方向、図１紙面における手前方向を前、紙面奥方向を後とする。なお、図１〜２１では説明の簡略化のため、親骨７０、第一受骨８０、第二受骨９０、かさ生地１００等の一部又は全部を省略してある。
【００３７】
逆閉じ用傘１０は、図１〜２１に示すように、下（一端側）にハンドル３０を有する中棒２０と、中棒２０の外側に嵌められるとともに中棒２０に対して摺動可能に配設される第一ろくろ部４０と、第一ろくろ部４０の外側に嵌められるとともに第一ろくろ部４０に対して摺動可能に配設される第二ろくろ部５０と、第一ろくろ部４０の外側に嵌められるとともに第一ろくろ部４０に対して摺動可能に配設され第二ろくろ部５０より中棒２０の下側（一端側）に配設された第三ろくろ６０と、を備えて三重軸構造に構成されている。
【００３８】
そして、一端を第一ろくろ部４０に対して回動可能に支持されるとともにかさ生地１００を装着した親骨７０と、一端を第二ろくろ部５０に対して回動可能に支持されるとともに他端を親骨７０と回動可能に支持される第一受骨８０と、一端が親骨７０の第一受骨８０を支持する部分より先端側において回動可能に支持され、他端が第三ろくろ６０に対して回動可能に支持される第二受骨９０と、を備えている。
【００３９】
逆閉じ用傘１０は、概略的には、通常の傘とは逆向きに開閉動作を行なう、すなわち、かさ生地１００を閉じている状態では、親骨７０はかさ生地１００とともに、中棒２０側に向かって折り畳まれて、かさ生地１００の後述する主かさ生地１０１の表面１０１ａが内部に収納された状態にあり、第一ろくろ部４０を中棒２０に対して中棒２０の上側（他端側）に摺動させるとともに、第一ろくろ部４０を第二ろくろ部５０に対して中棒２０の上（他端側）に摺動させることによって、親骨７０を第一受骨８０及び第二受骨９０で支持固定してかさ生地１００を完全に開いた状態に作用させるものである。
【００４０】
中棒２０は、図１、１９、２０等に示すように、四角筒状に形成され、第一ろくろ部４０を固定するための下はじき２１と、上はじき２２と、第二ろくろ部５０を中棒２０に対して固定するストッパー部材２３と、が中棒２０内外（左右）を出入り可能に配設されている。
【００４１】
ストッパー部材２３は、図１８に示すように、既存のはじきと同様に、弾性を有する部材で長板状に形成され、下側で中棒２０に対して回動可能に支持され、中棒２０から右側に突出するように配置されている。ストッパー部材２３は、中棒２０内に押し込まれると左側に変形し、押し込みを解除すると弾性力により復帰し、中棒２０から右側に突出するように形成されている。ストッパー部材２３は、図１１〜１６に示すように、上側の端部が右側（中棒２０の外側）に突出する、下突片２４と、上突片２５と、を有して、正面視において、右側が開口する略Ｃ字状に形成されている。
【００４２】
下突片２４は、中棒２０から突出した状態において、上側の端面２４ａが中棒２０の軸線方向に直交するように形成され後述するトリガー部５５ａを受け止め可能とされ、下側の端面２４ｂが端面２４ａに対して傾斜するように形成されている。
【００４３】
上突片２５は、中棒２０から突出した状態において、下側の端面２５ａが後述するトリガー部５５ａを受け止めて係合可能な形状に形成され、上側の端面２５ｂが中棒２０の軸線に対して傾斜するように形成されている。
【００４４】
ハンドル３０は、図１〜９、２０等に示すように、略円柱状に形成され、中棒２０に軸線方向に沿って中棒２０の外側に嵌め込まれる装着部３１と、装着部３１から逆Ｌ字状に延設され、手で把持可能に形成された持ち手部３２と、を有している。持ち手部３２は、中棒２０の軸線から離れた位置となるように配置されている。
【００４５】
第一ろくろ部４０は、図１８、１９、２０等に示すように、胴体部４１と、下側に配設される移動操作部４６と、上側に配設される親骨支持部４８と、を有している。
【００４６】
胴体部４１は、四角筒状に形成され、右側の壁に左右方向に貫通する溝４１ａが上下方向（中棒２０の軸線方向）に沿って形成されている。胴体部４１の外周面には、中棒２０の軸線方向からみて溝４１ａが形成される方向と直交する方向に向かって突出するガイド部４２、４２がそれぞれ配設されている。すなわち、前側及び後側の壁の外周面からそれぞれ前側、後側に突出するガイド部４２、４２が配設されている。
【００４７】
ガイド部４２、４２の上側の端面は、第二ろくろ部５０を下側への移動を規制する係止部４２ａ、４２ａとして形成されている。
【００４８】
胴体部４１の上側の端部には、かさ生地１００を完全に開いた状態からかさ生地１００を閉じる際に、ストッパー部材２３を中棒２０内に押し込んで第二ろくろ部５０の所定位置での停止を解除する解除部４３が配設されている。
【００４９】
解除部４３は、誘導部４４と、摺接部４５とで構成されている。
【００５０】
誘導部４４は、外形形状が三角柱状で、正面視において、上側から下側に向かって狭小となるように右側に突出して、ストッパー部材２３を胴体部４１内に誘導可能な通し溝４４ａが形成されている。
【００５１】
摺接部４５は、胴体部４１の誘導部４４の下端から溝４１ａに至る、ストッパー部材２３通過時にストッパー部材２３が接する胴体部４１の内面部分で構成される。
【００５２】
移動操作部４６は、胴体部４１より大径で中棒２０の先端側にくびれ部分を有した滑らかな段付き円筒状に形成されている。
【００５３】
移動操作部４６は、上下方向に貫通して胴体部４１を嵌め込み可能とする挿通孔４６ａと、左右方向に貫通して挿通孔４６ａと連通してロック解除レバー４７が配設される通し穴４６ｂと、を有している。
【００５４】
移動操作部４６の下側の端部は、ハンドル３０の装着部３１及び持ち手部３２の一部と係合可能に切り欠かれている。挿通孔４６ａと通し穴４６ｂとが連通する図示しない角部分が下はじき２１、上はじき２２と係合可能な形状に形成されている。
【００５５】
移動操作部４６の上側の端面は、第一ろくろ部４０を第二ろくろ部５０に対して中棒２０の上側に摺動させる際に、第三ろくろ６０と当接可能な当接部４６ｃを有している。
【００５６】
ロック解除レバー４７は、抜け止めフック４７ａを有して通し穴４６ｂに挿入され、左右方向に移動可能に形成され、下はじき２１又は上はじき２２を中棒２０内に押し込んで、移動操作部４６と係合する下はじき２１又は上はじき２２との係合を解除可能としている。
【００５７】
親骨支持部４８は、胴体部４１の上側で胴体部４１の外周面から外側に円盤状に延設され胴体部４１と一体形成されている。親骨支持部４８は、外周面に上下方向（中棒２０の軸線方向）に沿って有底溝として形成された取付溝４８ａと、外周面から中棒２０の軸線に向かって有底溝として形成されたワイヤ溝４８ｂとを有している。なお、胴体部４１の溝４１ａは、親骨支持部４８の一部を切り欠いて形成されている。
【００５８】
第二ろくろ部５０は、図１０〜１８等に示すように、本体部５１と、ロック部５２と、支持部５４と、ロックプレート部５５と、作動筒部５６と、で構成されている。
【００５９】
本体部５１は、多角筒状で下側に底壁５１ａを有し底壁５１ａから上側に延びる側壁５１ｂを有している。
【００６０】
本体部５１は、底壁５１ａの外周端縁から側壁５１ｂの中央部にかけて上下方向（中棒２０の軸線方向）に沿って外周面に貫通孔として形成された取付孔５１ｃと、底壁５１ａの外周面から中棒２０の軸線に向かって有底溝として形成されたワイヤ溝５１ｄと、を有している。
【００６１】
底壁５１ａは、中棒２０及びその外側に嵌められた第一ろくろ部４０の胴体部４１を挿通して摺動可能とするとともに胴体部４１から突出するガイド部４２、４２と干渉しない張り出し部分を有した挿通孔５１ｅを有している。
【００６２】
ロック部５２は、矩形枠状に形成され、一対の係止片部５２ａが中棒２０の基端側に突出して形成されている。係止片部５２ａの内側には、ガイド部４２の係止部４２ａと係止可能な被係止部５２ｂが形成されている。ロック部５２は、本体部５１の底壁５１ａに形成された図示しない取付長孔に、係止片部５２ａが挿入されて左右方向（中棒２０の軸線方向に直交する方向）に移動可能に形成されている。ロック部５２は、付勢部材としてのばね５３によって左側に付勢されている。
【００６３】
支持部５４は、底壁５４ａと、リブ部５４ｂと、を有している。
【００６４】
底壁５４ａは、中棒２０及びその外側に嵌められた第一ろくろ部４０の胴体部４１を挿通して摺動可能とするとともに胴体部４１から突出するガイド部４２、４２と干渉しない張り出し部分を有し、挿通孔５１ｅと略同形の挿通孔５４ｃを有している。
【００６５】
リブ部５４ｂは、底壁５４ａの挿通孔５４ｃ周縁から上側に突出して、上下方向からみて、右側に突出する開口リブ部５４ｄを有して略凸枠形状に形成されている。リブ部５４ｂの開口リブ部５４ｄの近傍から、上下方向からみて、略Ｌ字状に形成された補助リブ部５４ｅが、延設されている。上下方向からみて、開口リブ部５４ｄと補助リブ部５４ｅとで囲まれる部分に、後述するロックプレート部５５が配置可能に形成されている。支持部５４は、本体部５１の内側に嵌め込まれ、本体部５１と支持部５４とでロック部５２を上下方向に沿って挟み込むように配置されている。
【００６６】
ロックプレート部５５は、トリガー部５５ａと、取付羽根部５５ｂと、有している。
【００６７】
トリガー部５５ａは、平板状で、正面視において、角ばった略Ｊ字状に形成され、上方に屈曲する先端部分の上側の端面５５ｃが、上突片２５の端面２５ａと当接して係合可能に形成されている。トリガー部５５ａの下側の端面５５ｄが、下突片２４の端面２４ａと当接可能に形成されている。
【００６８】
取付羽根部５５ｂは、上下方向からみて、トリガー部５５ａの右側の端部から前後方向にそれぞれ延びて、支持部５４の開口リブ部５４ｄと補助リブ部５４ｅとで囲まれる部分に、上方向から嵌め込み可能な形状に屈曲して形成されている。
【００６９】
ロックプレート部５５は、トリガー部５５ａが、開口リブ部５４ｄに上方向から嵌め込まれ、取付羽根部５５ｂは、開口リブ部５４ｄと補助リブ部５４ｅとで囲まれる部分に嵌め込まれて、支持部５４に装着されている。
【００７０】
作動筒部５６は、中棒２０の下側の径が第三ろくろ６０と干渉しないように大きく形成された段付きの円筒状に形成されている。作動筒部５６は、下側の端縁から上側の端縁に向かって、第二受骨９０と干渉しないように形成された切り欠き部５６ａを有している。作動筒部５６は、本体部５１の側壁５１ｂと、支持部５４のリブ部５４ｂ及び補助リブ部５４ｅとにネジ等で締結され、中棒２０の先端側に延びるように配置されている。
【００７１】
第三ろくろ６０は、図１〜９、１８、２０等に示すように、円盤状に形成され、中棒２０及びその外側に嵌められた第一ろくろ部４０の胴体部４１を挿通して摺動可能とする挿通孔６０ａと、上下方向（中棒２０の軸線方向）に沿って外周面に有底溝として形成された取付溝６０ｂと、外周面から軸線に向かって有底溝として形成されたワイヤ溝６０ｃと、を有している。
【００７２】
親骨７０は、図１〜９、１９等に示すように、親骨元部７１と、親骨本体部７２と、を有して、本実施形態では、８本で構成されている。
【００７３】
親骨元部７１は、かさ生地１００を閉じた状態において、作動筒部５６から親骨本体部７２側の端部が飛び出る程度の長さを有している。
【００７４】
親骨元部７１は、一端が第一ろくろ部４０の親骨支持部４８の取付溝４８ａとワイヤ溝４８ｂとが交差する部分に、図示しない取付孔を合わせて、ワイヤ溝４８ｂに沿って図示しないワイヤを挿通させ締結して、第一ろくろ部４０に対して回動可能に支持されている。
【００７５】
親骨元部７１の他端側は、親骨本体部７２を軸支可能なヒンジ部７１ａを有している。
【００７６】
親骨本体部７２は、一端で親骨元部７１のヒンジ部７１ａと回動可能に支持されている。親骨本体部７２の長さは、中棒２０の軸線方向からみて、かさ生地１００を完全に開いた状態における、中棒２０からかさ生地１００の外周縁までの長さＬと同じ長さに形成されている。なお、親骨７０はかさ生地１００が装着されるとその張力でたわむため、たわんだ状態における中棒２０からかさ生地１００の外周縁までの長さとする。
【００７７】
第一受骨８０は、図１〜９、１９等に示すように、棒状に形成され、一端が第二ろくろ部５０の本体部５１の取付孔５１ｃとワイヤ溝５１ｄとが交差する部分に図示しない取付孔を合わせて、ワイヤ溝５１ｄに沿って図示しないワイヤを挿通させ締結して、第二ろくろ部５０に対して回動可能に支持され、他端がヒンジ部材８１を介して親骨本体部７２に対して回動可能に支持されている。本実施形態において、第一受骨８０は、８本で構成されている。
【００７８】
第二受骨９０は、図１〜９、１９等に示すように、元部９１と先部９２とに、分割されて構成され、本実施形態では、８本で構成されている。
【００７９】
元部９１は、棒状に形成され、一端が第三ろくろ６０のワイヤ溝６０ｃと取付溝６０ｂとが交差する部分に図示しない取付孔を合わせて、ワイヤ溝６０ｃに沿って図示しないワイヤを挿通させ締結して第三ろくろ６０に対して回動可能に支持されている。
【００８０】
先部９２は、棒状に形成され、一端が親骨本体部７２の第一受骨８０を支持する部分よりも先端側で、ヒンジ部材９３を介して回動可能に支持され、他端側が断面Ｖ字状に形成された内摺動部９２ａを有している。
【００８１】
元部９１の他端側は、内摺動部９２ａを挿入可能な筒状に形成された外摺動部９１ａを有し、外摺動部９１ａの第三ろくろ６０側の端部は閉塞している。外摺動部９１ａに内摺動部９２ａが挿入されて、元部９１と先部９２とが連結されている。外摺動部９１ａ内で内摺動部９２ａが摺動することによって第二受骨９０の長手方向の長さが伸縮可能とされている。外摺動部９１ａの閉塞した第三ろくろ６０側の端部により、内摺動部９２ａの摺動が規制され、第二受骨９０の長手方向の最短の長さが設定されることになる。
【００８２】
かさ生地１００は、主かさ生地１０１と、補助かさ生地１０２と、を有している。
【００８３】
主かさ生地１０１は、略八角形状に裁断、形成され、かさ生地１００が閉じた状態には、上側に湾曲可能とされ、かさ生地１００を完全に開いた状態の時には、図６に示すように、反転して下側（ハンドル３０側）に湾曲可能とされている。
【００８４】
補助かさ生地１０２は、かさ生地１００が完全に開いた状態において、中棒２０の軸線方向からみて、主かさ生地１０１の外周縁より小さい円形状に形成され、主かさ生地１０１の裏面１０１ｂ側に重ね合わせられて配置され、外周縁部において主かさ生地１０１と縫合され、図２１（ａ）、（ｂ）に示すように、中棒２０から所定距離の範囲が袋状となるように形成されている。
【００８５】
主かさ生地１０１は、キャップ部材１０３に装着されて中棒２０の上側の端部に装着されている。
【００８６】
補助かさ生地１０２は、第一ろくろ部４０の胴体部４１の親骨支持部４８の上側の部分で装着されている。
【００８７】
逆閉じ用傘１０の機能、作用について説明する。図１〜１７に示す図面に記載してある○でとじた数字は、図１と図１０、図２と図１１というように、それぞれ対応する状態とする。なお、図５には○でとじた数字は付していない。また、図１０〜１７において、第三ろくろ６０は、図１４にのみ二点鎖線であらわしている。
【００８８】
図１において、逆閉じ用傘１０は、親骨７０が中棒２０に向かって折り畳まれ、かさ生地１００が閉じた状態で、第一ろくろ部４０は、移動操作部４６においてハンドル３０と係合するとともに下はじき２１で固定されている。第二ろくろ部５０は、第一ろくろ部４０の上側において係止されている。
【００８９】
親骨元部７１の親骨支持部４８に支持された部分は、作動筒部５６内に位置して親骨元部７１は上下方向（中棒２０の軸線方向）に沿って配置されている。第二受骨９０は最大に延びた状態で、第三ろくろ６０は第二ろくろ部５０側に引き寄せられた状態にある。
【００９０】
この時、図１０に示すように、ロック部５２は、ばね５３により左側に付勢された状態にあり、被係止部５２ｂがガイド部４２の係止部４２ａと係止状態にあり、第二ろくろ部５０が下側に移動するのを規制されている。
【００９１】
図２においては、ロック解除レバー４７を押し込み、第一ろくろ部４０と中棒２０とのロックを解除して、第一ろくろ部４０が中棒２０の上側に摺動させた状態である。この点以外は、図１と同じ状態にある。
【００９２】
図１１においては、誘導部４４の通し溝４４ａ及び摺接部４５により、ストッパー部材２３の下突片２４が中棒２０内に押し込まれながら、上突片２５が中棒２０内に押し込まれるとともにトリガー部５５ａと係合する直前の状態を示している。この時、下突片２４はトリガー部５５ａが通過可能な状態にまで押し込まれトリガー部５５ａと当接している。ロック部５２は、ばね５３により左側に付勢された状態にあり、被係止部５２ｂがガイド部４２の係止部４２ａと係止状態にある。
【００９３】
図１２においては、ストッパー部材２３が解除部４３を通過して溝４１ａ内に進入して走行可能となるとともにトリガー部５５ａの上側の端面５５ｃが上突片２５の端面２５ａと係合して、第二ろくろ部５０が中棒２０の上側への移動を規制された状態にある。下突片２４がロック部５２と当接して、ロック部５２を右側に移動させ、被係止部５２ｂとガイド部４２の係止部４２ａとの係止状態を解除する。この時、トリガー部５５ａの上側の端面５５ｃと上突片２５の端面２５ａとの係合により、下突片２４が中棒２０内に押し込まれるのを防止して、ロック部５２の右側への移動を確実なものとしている。これにより、第一ろくろ部４０が第二ろくろ部５０に対して中棒２０の上側に向って摺動可能となる。
【００９４】
図３においては、親骨元部７１は、作動筒部５６内に位置して開こうとするのを規制されている。作動筒部５６外に位置している親骨本体部７２は、開き始めている。
【００９５】
図４においては、親骨元部７１は、図３同様で、作動筒部５６内に位置して開こうとするのを規制されている。作動筒部５６外に位置している親骨本体部７２は、中棒２０に対して直交した状態にある。第三ろくろ６０は、親骨本体部７２が開くことにより中棒２０の下側に移動し、第三ろくろ６０の下側の端面が、当接部４６ｃと当接した状態にある。なお、第三ろくろ６０が当接部４６ｃに当接するまでは、第二受骨９０の長手方向の長さは、変化していない。
【００９６】
図１３においては、ガイド部４２の係止部４２ａが、第一ろくろ部４０の移動により第二ろくろ部５０に対して中棒２０の上側に移動している以外は図１２と同様である。
【００９７】
図４の状態から、第一ろくろ部４０が第二ろくろ部５０に対して中棒２０の上側に移動すると、親骨元部７１の親骨支持部４８に支持された部分が、作動筒部５６外に位置して、すなわち、作動筒部５６による親骨元部７１への規制が解除され親骨元部７１が開く。そして、親骨元部７１の開きは、装着されたかさ生地１００の抵抗により中棒２０に対して４５°程度開いた状態となり、親骨本体部７２は、親骨元部７１の先端側より下側に向かって延びて、各親骨７０がへの字状（ガルウイング状）に屈曲し、かさ生地１００が中棒２０側に向かって折り畳まれた状態から、図５に示すように、ハンドル３０側に折り返された（反転した）状態となる。
【００９８】
この時、第三ろくろ６０の下側の端面が、当接部４６ｃと当接した状態で第一ろくろ部４０は移動するとともに、元部９１の外摺動部９１ａと、先部９２の内摺動部９２ａとが摺動し、動作状態に対応して第二受骨９０の長手方向の長さが短くなる。
【００９９】
各親骨７０が、図５に示すようにへの字状となった状態から、さらに第一ろくろ部４０が第二ろくろ部５０に対して中棒２０の上側に移動すると、外摺動部９１ａの第三ろくろ６０側の端部は閉塞しているので、内摺動部９２ａの摺動が規制されて第二受骨９０の長手方向の長さが一番短くなった状態で、第二受骨９０が親骨本体部７２の第一受骨８０に支持されている部分より先端側の部分を、斜め上側に押し上げて、親骨７０を支持するとともにかさ生地１００に張力を与える。
【０１００】
この時、第三ろくろ６０が当接部４６ｃにより作動筒部５６内に押し上げられつつ、親骨元部７１の親骨支持部４８に支持された部分が押し上げられ、図６に示すように、各親骨７０が下側に湾曲し、かさ生地１００が完全に開いた状態となる。
【０１０１】
つまり、かさ生地１００を反転させる段階と、かさ生地１００に張力を与える段階と、に時間差を設けて、かさ生地１００を開く際の一連の動作をスムーズにするとともに、かさ生地１００に必要な張力を付与させている。
【０１０２】
そして、第一ろくろ部４０の移動操作部４６が上はじき２２と係合して、第一ろくろ部４０が中棒２０に対して固定される。
【０１０３】
図１４においては、トリガー部５５ａの下側の端面５５ｄと下突片２４の端面２４ａとが当接して、第二ろくろ部５０が中棒２０の下側に移動するのを規制されている。また、ロック部５２と下突片２４との当接が外れてロック部５２は付勢部材により左側に戻されている。第一ろくろ部４０の中棒２０の上側への移動に伴い、ガイド部４２の位置は上側に移動している。
【０１０４】
図７においては、ロック解除レバー４７を押し込み、第一ろくろ部４０と中棒２０とのロックを解除して、第一ろくろ部４０を中棒２０の下側に摺動させ、第二受骨９０の親骨７０への支持及びかさ生地１００への張力付与を解除し、親骨元部７１の親骨支持部４８に支持された部分が、作動筒部５６内に位置して、すなわち、作動筒部５６の上側の端部が、親骨元部７１と当接して親骨元部７１が閉じるように規制する。親骨元部７１と親骨本体部７２が閉じることにより、第二受骨９０の、元部９１の外摺動部９１ａと、先部９２の内摺動部９２ａとが摺動し、動作状態に対応して第二受骨９０の長手方向の長さが一番短くなった状態から徐々に長くなる。
【０１０５】
図１５においては、ロック部５２の被係止部５２ｂとガイド部４２の係止部４２ａとが摺接した状態であり、ガイド部４２の右側の端面によって、ばね５３に抗しながら被係止部５２ｂが右側に案内される。
【０１０６】
図８においては、第二ろくろ部５０がストッパー部材２３との係合が解除される直前の状態にある。親骨７０が中棒２０に向かって折り畳まれ、かさ生地１００が閉じた状態である。
【０１０７】
図１６においては、ロック部５２は、ガイド部４２による案内が終わり、ばね５３により左側に付勢された状態にあり、被係止部５２ｂがガイド部４２の係止部４２ａと係止状態にある。そして、ストッパー部材２３が解除部４３を通過し始め、溝４１ａ内から退出するとともに中棒２０内に押し込まれ、トリガー部５５ａの下側の端面５５ｄと下突片２４の端面２４ａとの係合を解除するとともにトリガー部５５ａが下突片２４を乗り超えて下側に向かって移動する
図９においては、第一ろくろ部４０の移動が完了して、移動操作部４６においてハンドル３０と係合するとともに下はじき２１で固定され図１の状態と同じ状態に戻った状態をあらわしている。第二受骨９０は最大に延びた状態で、第三ろくろ６０は第二ろくろ部５０側に引き寄せられた状態にある。
【０１０８】
図１７においては、第一ろくろ部４０の中棒２０の下側に移動により、ストッパー部材２３の溝４１ａからの退出が完了し、図１０の状態と同じ状態に戻っている。
【０１０９】
かさ生地１００の機能作用に見ついて説明する。
【０１１０】
かさ生地１００を閉じる一連の動作時において、図２１（ｂ）の状態から、第一ろくろ部４０をハンドル３０側に摺動させると、主かさ生地１０１は、中棒２０の上側の端部と装着され固定され、補助かさ生地１０２は、第一ろくろ部４０の胴体部４１の親骨支持部４８の上側の部分で装着されているので、中棒２０の軸線方向に沿って下側に引っ張られる。
【０１１１】
この時、図２１（ａ）に示すように、袋状に形成される主かさ生地１０１及び補助かさ生地１０２が、中棒２０の軸線に直交する方向、換言すれば、中棒２０に向かって引き寄せられる。そして、主かさ生地１０１及び補助かさ生地１０２に装着されて一体化している親骨７０を中棒２０に向かって閉じるように付勢するとともに、かさ生地１００の体裁を良好なものとすることになる。かさ生地１００を閉じる際に、中棒２０の軸線に直交する方向からみて、主かさ生地１０１と補助かさ生地１０２との縫合部分で屈曲してかさ生地１００がＷ字状になり、かさ生地１００の谷となる部分で雨水を受け止め可能となる。
【０１１２】
上記構成の逆閉じ用傘１０では、一端側にハンドル３０を有する中棒２０と、中棒２０の外側に嵌められるとともに中棒２０に対して摺動可能に配設される第一ろくろ部４０と、第一ろくろ部４０の外側に嵌められるとともに第一ろくろ部４０に対して摺動可能に配設される第二ろくろ部５０と、を備えて三重軸構造に構成され、一端を第一ろくろ部４０に対して回動可能に支持されるとともにかさ生地１００を装着した親骨７０と、一端を第二ろくろ部５０に対して回動可能に支持されるとともに他端を親骨７０と回動可能に支持される第一受骨８０とを備えている。
【０１１３】
そして、かさ生地１００を閉じている状態では、親骨７０はかさ生地１００とともに、中棒２０側に向かって折り畳まれて、かさ生地１００の主かさ生地１０１の表面１０１ａが内部に収納された状態にあり、第一ろくろ部４０を中棒２０に対して中棒２０の他端側に摺動させるとともに、第一ろくろ部４０を第二ろくろ部５０に対して中棒２０の他端側に摺動させることによって、親骨７０を第一受骨８０で支持固定してかさ生地１００を完全に開いた状態に作用させる逆閉じ用傘である。
【０１１４】
さらに、第一ろくろ部４０の外側に嵌められるとともに第一ろくろ部４０に対して摺動可能に配設され、第二ろくろ部５０より中棒２０の一端側に配設された第三ろくろ６０を有し、一端が親骨７０の第一受骨８０を支持する部分より先端側において回動可能に支持され、他端が第三ろくろ６０に対して回動可能に支持される第二受骨９０を有している。
【０１１５】
これによれば、かさ生地１００を閉じた時からかさ生地１００を完全に開いた状態の時までの親骨７０の一連の動作において、第二受骨９０の親骨７０との支持部分の移動の軌跡は、第一受骨８０の親骨７０との支持部分の移動の軌跡とは異なり、親骨７０の回動に支障をきたすため、両者の動きを何らかの手段で調整をする必要がある。すなわち、逆閉じ用傘１０の骨組部分を、中棒２０の軸線方向に沿って移動可能な第二ろくろ部５０に加え、中棒２０の軸線方向に沿って移動可能とする第三ろくろ６０を用いて、第二受骨９０の親骨７０との支持部分の動きと第一受骨８０の親骨７０との支持部分の動きとを調整するスライダクランク構造体として、親骨７０の回動をスムーズなものとさせている。
【０１１６】
よって、第一受骨８０に溝を形成しなくてすむので、第一受骨８０の強度を確保しつつ、親骨７０の回動をスムーズにさせ、かさ生地１００の開閉動作をスムーズに行うことができる。
【０１１７】
また、親骨７０が、一端を第一ろくろ部４０に対して回動可能に支持される親骨元部７１と、一端を親骨元部７１の他端で回動可能に支持される親骨本体部７２と、を有し、親骨本体部７２の長さが、中棒２０の軸線方向からみて、かさ生地１００を完全に開いた状態における、中棒２０からかさ生地１００の外周縁までの長さ以下の長さに形成され、第二ろくろ部５０には、中棒２０の他端側方向に延びて親骨元部７１を収納可能な筒状の作動筒部５６が配設され、親骨元部７１の第一ろくろ部４０に支持される部分が、かさ生地１００の閉じ時には作動筒部５６内に位置し、かさ生地１００を完全に開いた状態には作動筒部５６外に位置することとしている。
【０１１８】
これによれば、親骨元部７１の第一ろくろ部４０に支持される部分が、かさ生地１００の閉じ時には作動筒部５６内に位置している間、換言すれば、親骨元部７１が作動筒部５６の内側で当接する間は、親骨元部７１が回動するのを規制し、親骨本体部７２のみを回動させ開かせる。親骨７０の開きが、親骨本体部７２のみに規制され、親骨元部７１の第一ろくろ部４０に支持される部分が、作動筒部５６外に移動することにより、親骨元部７１が回動してかさ生地１００を完全に開いた状態にする。
【０１１９】
特に親骨７０が、かさ生地１００を完全に開いた状態における、中棒２０からかさ生地１００の外周縁までの長さを超え、かさ生地１００を完全に開いた状態の時に親骨７０がハンドル３０側に湾曲するような逆閉じ用傘の場合に、親骨７０を、親骨本体部７２のみ開かせる段階と、親骨元部７１を開かせる段階を経る構成とすることで、開閉動作をスムーズに行うことができる。
【０１２０】
また、中棒２０内外を出入り可能に形成され、中棒２０の所定位置に第二ろくろ部５０を位置させるストッパー部材２３が配設され、第一ろくろ部４０には、軸線方向に沿って溝４１ａが形成され、溝４１ａ内をストッパー部材２３が走行可能に配設され、第二ろくろ部５０は、ストッパー部材２３と係合可能に形成され、第一ろくろ部４０の中棒２０の一端側の端部には、第一ろくろ部４０を第二ろくろ部５０に対して中棒２０の他端側に摺動させる際に、第三ろくろ６０と当接可能な当接部４６ｃが配設されている。
【０１２１】
これによれば、ストッパー部材２３により中棒２０の所定位置に第二ろくろ部５０を位置させて、当接部４６ｃが第三ろくろ６０と当接して、第三ろくろ６０を中棒２０の他端側に摺動させるとともに第二受骨９０を動作に対応した長さに縮小させるので、親骨７０の回動がスムーズになり、かさ生地１００の開閉動作をスムーズに行うことに寄与する。
【０１２２】
また、当接部４６ｃが第三ろくろ６０を受け止めて押し上げることにより、第二受骨９０が親骨７０を押し込んで支持するとともにかさ生地１００に張力を与え、かさ生地１００の張り具合を良好なものとすることができる。
【０１２３】
さらに、かさ生地１００を反転させる段階と、かさ生地１００に張力を与える段階と、に時間差を設けているので、かさ生地１００を開く際の一連の動作をスムーズにするとともに、かさ生地１００に必要な張力を付与させることが可能となる。
【０１２４】
また、第一ろくろ部４０の外周面には、中棒２０の軸線方向からみて溝４１ａが形成される方向と直交する方向に向かって突出するガイド部４２が配設され、ガイド部４２の中棒２０の他端側の端部には、第二ろくろ部５０を中棒２０の一端側への移動を規制する係止部４２ａが配設され、第一ろくろ部４０の中棒２０の他端側に位置する端部には、ストッパー部材２３を中棒２０内に押し込み可能に形成された解除部４３が配設され、第二ろくろ部５０には、中棒２０の軸線方向に直交する方向に移動可能なロック部５２と、ストッパー部材２３と係合可能なロックプレート部５５と、が配設され、ロック部５２には、ガイド部４２の係止部４２ａと係止する被係止部５２ｂが配設されている。
【０１２５】
そして、係止部４２ａと被係止部５２ｂとが係止して、かさ生地１００を閉じた状態の時に第二ろくろ部５０が中棒２０の一端側に移動するのを規制して、かさ生地１００を開く時に、ストッパー部材２３が解除部４３により中棒２０内に押し込まれて第一ろくろ部４０の溝４１ａ内に進入してロックプレート部５５と係合することで第二ろくろ部５０が中棒２０の所定位置に位置するとともに、ストッパー部材２３がロック部５２と当接して係止部４２ａと被係止部５２ｂとの係止を解除する。また、かさ生地１００を完全に開いた状態からかさ生地１００を閉じる際に、ガイド部４２と被係止部５２ｂとが摺動して第二ろくろ部５０を係止状態に案内するとともに解除部４３がストッパー部材２３と当接してストッパー部材２３とロックプレート部５５との係合を解除することで第二ろくろ部５０の所定位置での停止を解除する構成としている。
【０１２６】
これによれば、かさ生地１００を開く時には、ストッパー部材２３を解除部４３により中棒２０内に押し込んで第一ろくろ部４０の溝４１ａ内に進入させることでストッパー部材２３とロックプレート部５５とを係合させるとともに、係止部４２ａと被係止部５２ｂとの係止を解除して、第一ろくろ部４０を第二ろくろ部５０に対して摺動させることができる。
【０１２７】
また、かさ生地１００を閉じ時には、第一ろくろ部４０を第二ろくろ部５０に対して摺動させることで、ガイド部４２の係止部４２ａと、ロック部５２の被係止部５２ｂが係止されて、第二ろくろ部５０が中棒２０の一端側に移動するのを規制できるので、かさ生地１００の開閉動作の操作性を高めることができる。
【０１２８】
また、かさ生地１００を閉じる際に、中棒２０と第一ろくろ部４０との係止が解除され、第一ろくろ部４０を第二ろくろ部５０に対して摺動可能な状態から、第二ろくろ部５０を係止状態に案内して、解除部４３が第二ろくろ部５０の所定位置での停止を解除することでかさ生地１００の閉じ時の動作を円滑かつ安定させることができる。
【０１２９】
また、ハンドル３０を、中棒２０の一端側の端部から延設して、ハンドル３０の持ち手部３２が、中棒２０の軸線から外れた位置にあるようにすれば、第一ろくろ部４０の摺動範囲を中棒２０の一端側の端縁に近づけることが可能となり、逆閉じ用傘１０全体の中棒２０の軸線方向の長さを短くすることができる。
【０１３０】
また、かさ生地１００が、主かさ生地１０１と、補助かさ生地１０２と、を有して袋状に形成され、補助かさ生地１０２が、中棒２０の軸線方向からみて、かさ生地１００を完全に開いた状態において、中棒２０から所定範囲で主かさ生地１０１と重ねられ、主かさ生地１０１が、中棒２０の他端側の端部と装着され、補助かさ生地１０２が、第一ろくろ部４０の中棒２０の他端側の端部と装着される構成としている。
【０１３１】
これにより、かさ生地１００を閉じる際に、第一ろくろ部４０をハンドル３０側に摺動させると、補助かさ生地１０２が、中棒２０の軸線方向に沿って中棒２０の一端側に引っ張られて、主かさ生地１０１及び補助かさ生地１０２が、中棒２０の軸線に直交する方向、換言すれば、中棒２０に向かって引き寄せられ、親骨７０を中棒２０に向かって閉じるように付勢するとともにかさ生地１００の体裁を良好なものとすることができる。さらに、かさ生地１００を閉じる際に、中棒２０の軸線に直交する方向からみて、主かさ生地１０１と補助かさ生地１０２との縫合部分で屈曲してかさ生地１００がＷ字状になり、かさ生地１００の谷となる部分で雨水を受け止め、雨水がハンドル３０側に進入することを防止することができる。
【０１３２】
また、ハンドル３０を、着脱可能に形成し、中棒２０の両端部に装着可能に形成すれば、傘を閉じるときにハンドル３０を中棒２０の他端側に付け替えて、傘を持ち運ぶ際に内部にたまった雨水を落下させなくすることができる。
【０１３３】
図２２〜２４は、上記実施形態の変形例をあらわす。以下の説明において、上記実施形態と共通する構成については、同一符号を付し説明の全部又は一部を省略する。
【０１３４】
親骨１１０は、親骨元部７１と親骨本体部１１２とに、分割されて構成されている。
【０１３５】
親骨本体部１１２は、元部１１３と先部１１４とに分割されて構成されている。
【０１３６】
元部１１３は、親骨元部７１側の端部が閉塞した円筒状に形成され、親骨元部７１側の端部で親骨元部７１に対して回動可能に支持されている。元部１１３の内周面は、後述する内摺動部１１４ａを挿入可能な外摺動部１１３ａとして形成されている。
【０１３７】
先部１１４は、棒状に形成され、元部１１３側の端部が、外摺動部１１３ａに挿入可能な内摺動部１１４ａとして形成されている。先部１１４は、後述する第二受骨１２０の一端と回動可能に支持されている。
【０１３８】
外摺動部１１３ａ内に内摺動部１１４ａが挿入されて元部１１３と先部１１４とが連結されている。外摺動部１１３ａ内で内摺動部１１４ａが摺動することによって親骨１１０の長さが伸縮可能とされている。外摺動部１１３ａの閉塞した親骨元部７１側の端部により、内摺動部１１４ａの摺動が規制され、親骨１１０の長手方向の最短の長さが設定されることになる。
【０１３９】
第二受骨１２０は、一本の棒部材で形成され、一端が先部１１４と回動可能に支持され、他端が第三ろくろ６０と回動可能に支持されている。
【０１４０】
各親骨１１０が、図２３に示すように、への字状となった状態から、さらに第一ろくろ部４０が第二ろくろ部５０に対して中棒２０の上側に移動すると、図２４に示すように、長さの決まっている第二受骨１２０により内摺動部１１４ａが外摺動部１１３ａから引っ張り出され、親骨１１０が引っ張り出されて一番長くなった状態で、第二受骨１２０が親骨本体部１１２の第一受骨８０に支持されている部分より先端側の部分を、斜め上側に押し上げて、親骨１１０を支持するとともにかさ生地１００に張力を与える。
【０１４１】
この時、第三ろくろ６０が当接部４６ｃにより作動筒部５６内に押し上げられつつ、親骨元部７１の親骨支持部４８に支持された部分が押し上げられ、図２４に示すように、各親骨７０が下側に湾曲し、かさ生地１００が完全に開いた状態となる。
【０１４２】
そして、親骨元部７１と親骨本体部１１２が閉じることにより、親骨１１０の、元部１１３の外摺動部１１３ａと、先部１１４の内摺動部１１４ａとが摺動し、動作状態に対応して親骨１１０が引っ張り出されて一番長くなった状態から徐々に短くなる。外摺動部１１３ａの親骨元部７１側の端部は閉塞しているので、図２２に示すように、親骨１１０の長さが所定の一番短い長さに維持され、かさ生地１００の体裁が保たれる。
【０１４３】
このような構成としても、親骨１１０を動作に対応した長さに伸縮させるので、親骨１１０の回動がスムーズになり、かさ生地１００を開く際の一連の動作をスムーズにするとともに、かさ生地１００に必要な張力を付与させることが可能となる。
【０１４４】
上記第二ろくろ部の第一の変形例を、図２５〜３４を用いて説明する。以下の説明において、上記実施形態と共通する構成については、同一符号を付し説明の全部又は一部を省略する。また、矢印で示す方向は、前方向をＦ、後方向をＲＥ、左方向をＬ、右方向をＲとしている。なお、各図面における中心線Ｃは、中棒１３０の軸線であるとともに、第一ろくろ部１４０、第二ろくろ部１６０の軸線であるものとする。
【０１４５】
中棒１３０には、図２５、２８、２９等に示すように、第二ろくろ部１５０を中棒１３０の所定位置に固定するストッパー１３１、１３２が配設されている。
【０１４６】
ストッパー１３１は、四角柱状に形成され、中棒１３０の右側の面から右方向に、ストッパー１３２は、中棒１３０の左側の面から左方向に、それぞれ突出している。
【０１４７】
ストッパー１３１、１３２は、上側の端面１３１ａ、１３２ａが中棒１３０の軸線方向（上下方向）に直交するように形成され、後述する係合部１６５ａ、１６５ｂを受け止め可能とされている。
【０１４８】
第一ろくろ部１４０は、図２５、２６、２９等に示すように、中棒１３０を挿通可能に形成された挿通孔１４０ａを有し、胴体部１４１と、下側に配設される移動操作部４６と、上側に配設される親骨支持部１４６と、を有している。
【０１４９】
胴体部１４１は、四角筒状に形成され、右側及び左側の壁に左右方向に貫通する溝１４２、１４３が上下方向（中棒１３０の軸線方向）に沿って形成されている。
【０１５０】
胴体部１４１の外周面には、中棒１３０の軸線方向からみて溝１４２、１４３が形成される方向と直交する方向（前後方向）に向かってそれぞれ突出するガイド部１４４、１４５がそれぞれ配設されている。すなわち、ガイド部１４４、１４５は、四角筒状に形成され、胴体部１４１の前側及び後側の壁の外周面からそれぞれ前側、後側に突出するように配設されている。
【０１５１】
ガイド部１４４、１４５の上側の端面は、第二ろくろ部１５０の下側への移動を規制する係止部１４４ａ、１４５ａとして形成されている。
【０１５２】
親骨支持部１４６は、胴体部１４１の上側で胴体部１４１の外周面から外側に円盤状に延設され胴体部１４１と一体形成されている。親骨支持部１４６は、外周面に上下方向（中棒１３０の軸線方向）に沿って有底溝として形成された複数の取付溝１４６ａと、外周面から中棒１３０の軸線に向かって有底溝として形成されたワイヤ溝１４６ｂとを有している。
【０１５３】
親骨支持部１４６の上側の端部には、かさ生地１００を完全に開いた状態からかさ生地１００を閉じる際に、ストッパー１３１、１３２を溝１４２、１４３内に誘導する誘導部１４７、１４８が配設されている。
【０１５４】
誘導部１４７、１４８は、挿通孔１４０ａから親骨支持部１４６の外周面に向かう有底溝として上下方向に沿って形成されている。本変形例では、誘導部１４７は右側に、誘導部１４８は左側に、向かう有底溝として形成されている。
【０１５５】
親骨支持部１４６の下面には、ストッパー１３１、１３２と第二ろくろ部１６０との係合を解除可能とする解除部１４９、１５０が配設されている。解除部１４９、１５０は、親骨支持部１４６の軸線と同心円周上において下方に突出して複数配置され、径方向からみて平面視における時計回り方向（周方向）前側の端部が頂部とされる直角三角形状、かつ、上下方向からみて径方向において厚みを有した円弧状に、形成されている。
【０１５６】
解除部１４９、１５０の下面が後述する第一回動作用部１６５ｅ、１６５ｆと摺動する摺動面１４９ａ、１５０ａとされている。
【０１５７】
第二ろくろ部１６０は、図２７〜２９に示すように、本体部１６１と、第二円環プレート部１６２と、支持部１６４と、第一円環プレート部１６５と、プレート押え部１６６と、作動筒部１６７と、を有している。
【０１５８】
本体部１６１は、底壁１６１ａと、円周壁部１６１ｒと、外壁部１６１ｋ、１６１ｌ、１６１ｍと、内壁部１６１ｎ、１６１ｏ、１６１ｐ、１６１ｑと、を有している。
【０１５９】
底壁１６１ａは、円盤状に形成され、外周面に上下方向（中棒１３０の軸線方向）に沿って有底溝として形成された複数の取付溝１６１ｂと、外周面から中棒１３０の軸線に向かって有底溝として形成されたワイヤ溝１６１ｃとを有している。
【０１６０】
取付溝１６１ｂとワイヤ溝１６１ｃとの交差点において、第一受骨８０が回動可能に支持される。
【０１６１】
底壁１６１ａは、中棒１３０及びその外側に嵌められた第一ろくろ部１４０の胴体部１４１を挿通して摺動可能とする、矩形状の挿通孔１６１ｄを有している。挿通孔１６１ｄの前後の辺には、胴体部１４１から突出するガイド部１４４、１４５と干渉しないように、挿通孔１６１ｄの前後の辺から外周縁部に向かう有底溝として形成された逃がし溝１６１ｅ、１６１ｆが、配設されている。
【０１６２】
底壁１６１ａの、挿通孔１６１ｄの左右の近傍、かつ、後述する内壁部１６１ｑと内壁部１６１ｎ、内壁部１６１ｏと内壁部１６１ｐ、の左右方向からみたときの間隔部分の上面は、ストッパー１３１、１３２を受け止める受け止め部１６１ｇ、１６１ｈとされている。
【０１６３】
底壁１６１ａの上面には、上下方向に沿って延びる矩形平板状に形成されたばね受け１６１ｉ、１６１ｊが、配設されている。
【０１６４】
円周壁部１６１ｒは、底壁１６１ａの外周端縁から上方に延び、円筒状に形成されている。
【０１６５】
外壁部１６１ｋ、１６１ｌ、１６１ｍは、断面円弧状に形成され、円周壁部１６１ｒから上方に延び、等間隔に配置されている。
【０１６６】
内壁部１６１ｎ、１６１ｏ、１６１ｐ、１６１ｑは、断面円弧状に形成され、底壁１６１ａの中央部かつ挿通孔１６１ｄを囲むように上方に延び、外壁部１６１ｋ、１６１ｌ、１６１ｍと同心円周上に、内壁部１６１ｎ、１６１ｏが、逃がし溝１６１ｆを、内壁部１６１ｐ、１６１ｑが、逃がし溝１６１ｅを挟むように配置されている。
【０１６７】
第二円環プレート部１６２は、円環枠状に形成されている。第二円環プレート部１６２の内側には、ガイド部１４４、１４５の係止部１４４ａ、１４５ａと係止可能な被係止部１６２ａ、１６２ｂと、ストッパー１３１、１３２と当接して係止部１４４ａ、１４５ａと被係止部１６２ａ、１６２ｂとの係止を解除する第二回動作用部１６２ｅ、１６２ｆと、が配設されている。
【０１６８】
被係止部１６２ａ、１６２ｂは、第二円環プレート部１６２の内周面から中心線Ｃ（中棒１３０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、被係止部１６２ａは後側、被係止部１６２ｂは前側、に配置されている。
【０１６９】
被係止部１６２ａ、１６２ｂの上側の面が後述するガイド部１４４、１４５と摺動する摺動面１６２ｃ、１６２ｄとされている。
【０１７０】
第二回動作用部１６２ｅ、１６２ｆは、第二円環プレート部１６２の内周面から中棒１３０の軸線側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、第二回動作用部１６２ｅは右側、第二回動作用部１６２ｆは左側、に配置されている。第二回動作用部１６２ｅ、１６２ｆの上側の面がストッパー１３１、１３２と摺動する摺動面１６２ｇ、１６２ｈとされている。
【０１７１】
第二円環プレート部１６２は、被係止部１６２ａ、１６２ｂの近傍に、外周縁から中心線Ｃ（中棒１３０の軸線）に向かって円弧状に切り欠いて形成され、付勢部材としてのばね１６３ａ、１６３ｂを配置可能なばね配置部１６２ｉ、１６２ｊを有している。
【０１７２】
第二円環プレート部１６２は、本体部１６１の円周壁部１６１ｒと内壁部１６１ｎ、１６１ｏ、１６１ｐ、１６１ｑとの間に上側から嵌め込まれ、中心線Ｃ（中棒１３０の軸線）を回動中心として回動移動可能に形成されている。
【０１７３】
第二円環プレート部１６２は、ばね配置部１６２ｉ、１６２ｊに、ばね１６３ａ、１６３ｂが配置され、ばね配置部１６２ｉ、１６２ｊの時計回り方向（周方向）前側の端面に、ばね１６３ａ、１６３ｂの一端が、ばね受け１６１ｊ、１６１ｉの時計回り方向（周方向）前側の端面に、ばねの他端が、それぞれ接して、上側からみて、時計回り方向（周方向）における前側に付勢されている。
【０１７４】
支持部１６４は、底壁１６４ａと、外壁部１６４ｇ、１６４ｈ、１６４ｉと、内壁部１６４ｊ、１６４ｋ、１６４ｌ、１６４ｍと、を有している。
【０１７５】
底壁１６４ａは、円盤状に形成され、中棒１３０及びその外側に嵌められた第一ろくろ部１４０の胴体部１４１を挿通して摺動可能とする、矩形状の挿通孔１６４ｂを有している。
【０１７６】
挿通孔１６４ｂの前後の辺には、胴体部１４１から突出するガイド部１４４、１４５と干渉しないように、挿通孔１６４ｂの前後の辺から底壁１６４ａの外周縁部に向かう有底溝として形成された逃がし溝１６４ｃ、１６４ｄが、配設されている。
【０１７７】
挿通孔１６４ｂの左右の辺には、中棒１３０から突出するストッパー１３１、１３２と干渉しないように、挿通孔１６４ｂの左右の辺から底壁１６４ａの外周縁部に向かう有底溝として形成された逃がし溝１６４ｅ、１６４ｆが、配設されている。
【０１７８】
外壁部１６４ｇ、１６４ｈ、１６４ｉは、断面円弧状に形成され、底壁１６４ａの外周端縁から上方に延び、等間隔に配置されている。外壁部１６４ｇ、１６４ｈ、１６４ｉ間のそれぞれの隙間部分は、外壁部１６１ｋ、１６１ｌ、１６１ｍと咬合可能に形成されている。
【０１７９】
内壁部１６４ｊ、１６４ｋ、１６４ｌ、１６４ｍは、断面円弧状に形成され、底壁１６４ａの中央部かつ挿通孔１６４ｂを囲むように上方に延び、外壁部１６４ｇ、１６４ｈ、１６４ｉと同心円上に、内壁部１６４ｊ、１６４ｋが、逃がし溝１６４ｄを、内壁部１６４ｋ、１６４ｌが、逃がし溝１６４ｅを、内壁部１６４ｌ、１６４ｍが、逃がし溝１６４ｃを、内壁部１６４ｍ、１６４ｊが、逃がし溝１６４ｆを挟むように配置されている。
【０１８０】
底壁１６４ａの上面には、上下方向に沿って延びる矩形平板状に形成されたばね受け１６４ｎ、１６４ｏが、配設されている。
【０１８１】
第一円環プレート部１６５は、円環枠状に形成されている。第一円環プレート部１６５の内側には、ストッパー１３１、１３２と係合可能な係合部１６５ａ、１６５ｂと、親骨支持部１４６の解除部１４９、１５０と当接してストッパー１３１、１３２と係合部１６５ａ、１６５ｂとの係合を解除する第一回動作用部１６５ｅ、１６５ｆと、が配設されている。
【０１８２】
係合部１６５ａ、１６５ｂは、第一円環プレート部１６５の内周面から中心線Ｃ（中棒１３０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、係合部１６５ａは右側、係合部１６５ｂは左側に配置されている。
【０１８３】
係合部１６５ａ、１６５ｂの上側の面がストッパー１３１、１３２と摺動する摺動面１６５ｃ、１６５ｄとされている。
【０１８４】
第一回動作用部１６５ｅ、１６５ｆは、係合部１６５ａ、１６５ｂより上側の位置に、第一円環プレート部１６５の内周面から中心線Ｃ（中棒１３０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、第一回動作用部１６５ｅは、係合部１６５ａの時計回り方向（周方向）における後側、第一回動作用部１６５ｆは、係合部１６５ｂの時計回り方向（周方向）における後側に配置されている。
【０１８５】
第一回動作用部１６５ｅ、１６５ｆの上側の面が解除部１４９、１５０と摺動する摺動面１６５ｇ、１６５ｈとされている。
【０１８６】
第一円環プレート部１６５は、平面視において、係合部１６５ａと第一回動作用部１６５ｆとの中間位置、係合部１６５ｂと第一回動作用部１６５ｅとの中間位置に、外周縁から中心線Ｃ（中棒１３０の軸線）に向かって円弧状に切り欠いて形成され、付勢部材としてのばね１６６ａ、１６６ｂを配置可能なばね配置部１６５ｉ、１６５ｊを有している。
【０１８７】
第一円環プレート部１６５は、支持部１６４の外壁部１６４ｇ、１６４ｈ、１６４ｉと内壁部１６４ｊ、１６４ｋ、１６４ｌ、１６４ｍとの間に上側から嵌め込まれ、中心線Ｃ（中棒１３０の軸線）を回動中心として回動移動可能に形成されている。第一円環プレート部１６５は、平面視における、ばね配置部１６５ｉ、１６５ｊに、ばね１６６ａ、１６６ｂが配置され、ばね配置部１６５ｉ、１６５ｊの時計回り方向（周方向）前側の端面に、ばね１６６ａ、１６６ｂの一端が、ばね受け１６４ｏ、１６４ｎの時計回り方向（周方向）前側の端面に、ばね１６６ａ、１６６ｂの他端が、それぞれ接して、上側からみて、時計回り方向（周方向）における前側に付勢されている。
【０１８８】
プレート押え部１６６は、円環板状の天板部１６６ａと、断面円弧状に形成され天板部１６６ａの外周縁部から下方に延びる側壁部１６６ｂ、１６６ｃ、１６６ｄを有している。側壁部１６６ｂ、１６６ｃ、１６６ｄは、係合されて円筒状となった本体部１６１の外壁部１６１ｋ、１６１ｌ、１６１ｍ、円周壁部１６１ｒ及び支持部１６４の外壁部１６４ｇ、１６４ｈ、１６４ｉに対応した円弧状に形成されている。
【０１８９】
作動筒部１６７は、円筒状に形成されている。作動筒部１６７は、下側の端縁から上側の端縁に向かって、プレート押え部１６６の側壁部１６６ｂ、１６６ｃ、１６６ｄと対応した形状に切り欠かれた、切り欠き部１６７ａ、１６７ｂ、１６７ｃを有している。
【０１９０】
作動筒部１６７は、切り欠き部１６７ａが側壁部１６６ｂと、切り欠き部１６７ｂが側壁部１６６ｃと、切り欠き部１６７ｃが側壁部１６６ｄと、それぞれ咬合可能に形成されている。
【０１９１】
作動筒部１６７は、支持部１６４にネジ等で締結され、中棒１３０の先端側に延びるように配置されている。
【０１９２】
第二円環プレート部１６２が嵌め込まれた本体部１６１の外壁部１６１ｋ、１６１ｌ、１６１ｍを、第一円環プレート部１６５が嵌め込まれた支持部１６４の外壁部１６４ｇ、１６４ｈ、１６４ｉの隙間部分と咬み合わせ、下から、本体部１６１、第二円環プレート部１６２、支持部１６４、第一円環プレート部１６５の順に配置する。プレート押え１６６が、上側から嵌められ、切り欠き部１６７ａと側壁部１６６ｂ、切り欠き部１６７ｂと側壁部１６６ｃ、切り欠き部１６７ｃと側壁部１６６ｄ、をそれぞれ咬合させ、プレート押え部１６６及び作動筒部１６７が支持部１６４とボルト締め等されて、一体化されて第二ろくろ部１６０が形成されている。
【０１９３】
上記第二ろくろ部１６０の機能、作用について説明する。
【０１９４】
図３０〜３４では、右側からみた状態におけるものとし、理解を容易にするため動作に関与する右側にある、ストッパー１３１、係合部１６５ａ、第一回動作用部１６５ｅ、第二回動作用部１６２ｅ、及び、被係止部１６２ａ、１６２ｂを実線で示して説明する。なお、反対側の左側においても、機能作用は同様である。
【０１９５】
図２９では、逆閉じ用傘１０は、図２５に示すように閉じた状態であり、このとき、第二円環プレート部１６２は、ばね１６３ａ、１６３ｂにより、上からみて時計回り前側に付勢された状態にあり、被係止部１６２ａ、１６２ｂがガイド部１４４、１４５の係止部１４４ａ、１４５ａとそれぞれ係止状態にあり、第二ろくろ部１６０が、第一ろくろ部１４０に対して下側に移動するのを規制されている。この状態は図１０に対応する。
【０１９６】
第一ろくろ部１４０を中棒１３０の上側に摺動させると、図３０に示すように、ストッパー１３１が誘導部１４７に誘導されて第一ろくろ部１４０の溝１４２内に進入して、係合部１６５ａの摺動面１６５ｃと当接して第一円環プレート部１６５を上からみて反時計回りに回動させる。この状態は図１１に対応する。
【０１９７】
そして、図３１に示すように、第一円環プレート部１６５は、ばね１６６ａ、１６６ｂの付勢力によりもとの位置に戻り、第一円環プレート部１６５の係合部１６５ａと係合することで、第二ろくろ部１６０が中棒１３０の下側への移動を規制された状態にある。
【０１９８】
そして、第一ろくろ部１４０をさらに上側に移動させると、図３２に示すように、ストッパー１３１が第二回動作用部１６２ｅの摺動面１６２ｇと当接して第二円環プレート部１６２を回動させて、係止部１４４ａ、１４５ａと被係止部１６２ａ、１６２ｂとの係止をそれぞれ解除させる。
【０１９９】
そして、第二円環プレート部１６２の被係止部１６２ａ、１６２ｂとガイド部１４４、１４５とが摺接した状態となり、ガイド部１４４、１４５の上側からみた時の反時計回り側の端面によって、ばね１６３ａ、１６３ｂの付勢力に抗しながら被係止部１６２ａ、１６２ｂが上側からみた時の反時計回り側に案内される。
【０２００】
これにより、第一ろくろ部１４０が第二ろくろ部１６０に対して中棒１３０の上側に向って摺動可能となる。この状態は図１２に対応する。
【０２０１】
そして、第一ろくろ部１４０をさらに移動させると、第一ろくろ部１４０の移動操作部４６と上はじき２２とが係合して、第一ろくろ部１４０が中棒１３０に対して固定される。この状態は図１４に対応する。なお、ストッパー１３１は、本体部１６１の底壁１６１ａの受け止め部１６１ｇと当接して、第二ろくろ部１６０が上側へ移動するのを規制する。
【０２０２】
図３３は、第一ろくろ部１４０を中棒１３０に対して下側に移動させ、第二円環プレート部１６２の被係止部１６２ａ、１６２ｂとガイド部１４４、１４５の係止部１４４ａ、１４５ａとが摺接する直前の状態を示している。このとき、係合部１６５ａの下側の端面とストッパー１３１の上側の端面とが当接して、第二ろくろ部１６０が中棒１３０の下側に移動するのを規制されている。
【０２０３】
図３４においては、被係止部１６２ａ、１６２ｂは、ガイド部１４４、１４５による案内が終わり、ばね１６３ａ、１６３ｂにより時計回り方向の前側に付勢された状態にあり、被係止部１６２ａ、１６２ｂがガイド部１４４、１４５の係止部１４４ａ、１４５ａと係止状態にある。
【０２０４】
そして、解除部１４９の摺動面１４９ａが、第一回動作用部１６５ｅの摺動面１６５ｇと当接して第一円環プレート部１６５を回動させ、ストッパー１３１と係合部１６５ａとの係合を解除する。第二ろくろ部１６０の中棒１３０の所定位置での停止を解除する。この状態は図１６に対応する。
【０２０５】
これにより、第一ろくろ部１４０の中棒１３０の下側への移動により、ストッパー１３１の溝１４２からの退出が完了する。
【０２０６】
このような構成としても、ストッパー１３１、１３２により中棒１３０の所定位置に第二ろくろ部１６０を位置させて、当接部４６ｃが第三ろくろ６０と当接して、第三ろくろ６０を中棒１３０の他端側に摺動させるとともに第二受骨９０を動作に対応した長さに縮小させ、又は、親骨７０を動作に対応した長さに伸長させるので、親骨７０の回動がスムーズになり、かさ生地１００の開閉動作をスムーズに行うことに寄与する。
【０２０７】
さらに、当接部４６ｃが第三ろくろ６０を受け止めて押し上げることにより、第二受骨９０が親骨７０を押し込んで支持するとともにかさ生地１００に張力を与え、かさ生地１００の張り具合を良好なものとすることができる。
【０２０８】
また、かさ生地１００を開く時には、ストッパー１３１、１３２を誘導部１４７、１４８を介して第一ろくろ部１４０の溝１４２、１４３内に進入させ、摺動面１６５ｃ、１６５ｄと当接して第一円環プレート部１６５を回動させ、第一円環プレート部１６５の係合部１６５ａ、１６５ｂと係合することで第二ろくろ部１６０を中棒１３０の所定位置に停止させた後、ストッパー１３１、１３２が第二回動作用部１６２ｅ、１６２ｆと当接して第二円環プレート部１６２を回動させて係止部１４４ａ、１４５ａと被係止部１６２ａ、１６２ｂとの係止を解除して、第一ろくろ部１４０を第二ろくろ部１６０に対して摺動させることができる。また、かさ生地１００を閉じる時には、第一ろくろ部１４０を第二ろくろ部１６０に対して摺動させることで、ガイド部１４４、１４５の係止部１４４ａ、１４５ａと、第二円環プレート部１６２の被係止部１６２ａ、１６２ｂが係止されて、第二ろくろ部１６０が中棒１３０の下（一端）側に移動するのを規制できるので、かさ生地１００の開閉動作の操作性を高めることができる。
【０２０９】
また、かさ生地１００を閉じる際に、第一ろくろ部１４０を第二ろくろ部１６０に対して摺動可能な状態から、第二ろくろ部１６０を係止状態に案内して、解除部１４９、１５０が、第一回動作用部１６５ｅ、１６５ｆと当接し、第一円環プレート部１６５が回動して、中棒１３０と第二ろくろ部１６０との係止が解除され、第二ろくろ部１６０の中棒１３０の所定位置での停止を解除することでかさ生地１００の閉じ時の動作を円滑かつ安定させることができる。
【０２１０】
さらに、円環状の第一円環プレート部１６５、第二円環プレート部１６２を用いることにより、係合部１６５ａ、１６５ｂ、被係止部１６２ａ、１６２ｂの移動が、中心線Ｃ（中棒１３０の軸線）を中心とする回転運動となり、直線運動させる場合に比べデッドスペースを減少させることができ、第二ろくろ部１６０のサイズを小さくすることが可能となる。
【０２１１】
上記第二ろくろ部の第二の変形例を、図３５、３６を用いて説明する。以下の説明において、上記実施形態、変形例と共通する構成については、同一符号を付し説明の全部又は一部を省略する。
【０２１２】
なお、各図面における中心線Ｃは、中棒１３０の軸線であるとともに、第一ろくろ部１４０、第二ろくろ部１７０の軸線であるものとする。
【０２１３】
胴体部１４１の外周面には、図３５、３６に示すように、中棒１３０の軸線方向からみて溝１４２、１４３が形成される方向と直交する方向（前後方向）に向かってそれぞれ突出するガイド部１５１、１５２がそれぞれ配設されている。すなわち、前側及び後側の壁の外周面からそれぞれ前側、後側に突出するガイド部１５２、１５１が配設されている。
【０２１４】
ガイド部１５１、１５２は、三角柱状に形成され、ガイド部１５１、１５２の上側の端面は、第二ろくろ部１７０を下側への移動を規制する係止部１５１ａ、１５２ａとして形成されている。ガイド部１５１、１５２の下側の端面は、後述する係合部１７２ｅ、１７２ｆと摺動可能に形成されている。
【０２１５】
親骨支持部１４６の下面には、図３５に示すように、第二ろくろ部１７０を中棒１３０の所定位置に固定するストッパー１３１、１３２と第二ろくろ部１７０との係合を解除可能とする解除部１５３、１５４が配設されている。解除部１５３、１５４は、親骨支持部１４６の軸線と同心円周上において下方に突出して複数配置され、径方向からみて平面視における時計回り方向（周方向）前側の端部が頂部とされる直角三角形状、かつ、上下方向からみて径方向において厚みを有した円弧状に、形成されている。
【０２１６】
解除部１５３、１５４の下側の面が後述する回動作用部１７２ｉ、１７２ｊと摺動する摺動面１５３ａ、１５４ａとされている。
【０２１７】
解除部１５３、１５４は、後述する回動作用部１７２ｉ、１７２ｊと摺動可能、かつ、親骨支持部１４６の下面の前側、後側にそれぞれ配置されている。
【０２１８】
第二ろくろ部１７０は、図３５、３６に示すように、本体部１７１と、円環プレート部１７２と、押え部１７４と、を有している。
【０２１９】
本体部１７１は、底壁１７１ａと、外壁部１７１ｉ、１７１ｊ、１７１ｋと、内壁部１７１ｌ、１７１ｍ、１７１ｎ、１７１ｏと、を有している。
【０２２０】
底壁１７１ａは、円盤状に形成され、中棒１３０及びその外側に嵌められた第一ろくろ部１４０の胴体部１４１を挿通して摺動可能とする、矩形状の挿通孔１７１ｂを有している。
【０２２１】
挿通孔１７１ｂの前後の辺には、胴体部１４１から突出するガイド部１５１、１５２と干渉しないように、挿通孔１７１ｂの前後の辺から底壁１７１ａの外周縁部に向かう有底溝として形成された逃がし溝１７１ｃ、１７１ｄが、配設されている。
【０２２２】
挿通孔１７１ｂの左右の辺には、中棒１３０から突出するストッパー１３２、１３１と干渉しないように、挿通孔１７１ｂの左右の辺から底壁１７１ａの外周縁部に向かう有底溝として形成された逃がし溝１７１ｅ、１７１ｆが、配設されている。
【０２２３】
逃がし溝１７１ｅ、１７１ｆは、底壁１７１ａの上面から上下方向における厚みの半分程度まで形成され、底面がストッパー１３２、１３１を受け止める受け止め部１７１ｇ、１７１ｈとされている。
【０２２４】
外壁部１７１ｉ、１７１ｊ、１７１ｋは、断面円弧状に形成され、底壁１７１ａの外周端縁から上方に延び、等間隔に配置されている。
【０２２５】
内壁部１７１ｌ、１７１ｍ、１７１ｎ、１７１ｏは、断面円弧状に形成され、底壁１７１ａの中央部かつ挿通孔１７１ｂを囲むように上方に延び、外壁部１７１ｉ、１７１ｊ、１７１ｋと同心円上に、内壁部１７１ｎ、１７１ｏが、逃がし溝１７１ｃを、内壁部１７１ｏ、１７１ｌが、逃がし溝１７１ｆを、内壁部１７１ｌ、１７１ｍが、逃がし溝１７１ｄを、内壁部１７１ｍ、１７１ｎが、逃がし溝１７１ｅを挟むように配置されている。
【０２２６】
底壁１７１ａの上面には、上下方向に沿って延びる矩形平板状に形成されたばね受け１７１ｐ、１７１ｑが、配設されている。
【０２２７】
円環プレート部１７２は、円環枠状に形成されている。円環プレート部１７２の内側には、ストッパー１３１、１３２と係合可能な係合部１７２ａ、１７２ｂと、ガイド部１５１、１５２の係止部１５１ａ、１５２ａと係止する被係止部１７２ｅ、１７２ｆと、親骨支持部１４６の解除部１５３、１５４と当接してストッパー１３１、１３２と係合部１７２ａ、１７２ｂとの係合を解除する回動作用部１７２ｉ、１７２ｊと、が配設されている。
【０２２８】
係合部１７２ａ、１７２ｂは、円環プレート部１７２の内周面から中心線Ｃ（中棒１３０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、係合部１７２ａは右側、係合部１７２ｂは左側、に配置されている。
【０２２９】
係合部１７２ａ、１７２ｂの上側の面がストッパー１３１、１３２と摺動する摺動面１７２ｃ、１７２ｄとされている。
【０２３０】
被係止部１７２ｅ、１７２ｆは、円環プレート部１７２の内周面から中心線Ｃ（中棒１３０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、被係止部１７２ｅは後側、被係止部１７２ｆは前側、に配置されている。
【０２３１】
被係止部１７２ｅ、１７２ｆの上側の面が後述するガイド部１５１、１５２と摺動する摺動面１７２ｇ、１７２ｈとされている。
【０２３２】
回動作用部１７２ｉ、１７２ｊは、係合部１７２ａ、１７２ｂより上側の位置に、円環プレート部１７２の内周面から中心線Ｃ（中棒１３０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、回動作用部１７２ｉは、被係止部１７２ｅの時計回り方向（周方向）における後側、回動作用部１７２ｊは、被係止部１７２ｆの時計回り方向（周方向）における後側、に配置されている。
【０２３３】
回動作用部１７２ｉ、１７２ｊの上側の面が解除部１５３、１５４と摺動する摺動面１７２ｋ、１７２ｌとされている。
【０２３４】
円環プレート部１７２は、平面視において、回動作用部１７２ｉ、１７２ｊの近傍に、外周縁から中心線Ｃ（中棒１３０の軸線）に向かって円弧状に切り欠いてそれぞれ形成され、付勢部材としてのばね１７３ａ、１７３ｂを配置可能なばね配置部１７２ｍ、１７２ｎを有している。
【０２３５】
円環プレート部１７２は、本体部１７１の、外壁部１７１ｉ、１７１ｊ、１７１ｋと、内壁部１７１ｌ、１７１ｍ、１７１ｎ、１７１ｏとの間に上側から嵌め込まれ、中心線Ｃ（中棒１３０の軸線）を回動中心として回動移動可能に形成されている。円環プレート部１７２は、平面視における、ばね配置部１７２ｍ、１７２ｎに、ばね１７３ａ、１７３ｂが配置され、ばね配置部１７２ｍ、１７２ｎの時計回り方向（周方向）前側の端面に、ばね１７３ａ、１７３ｂの一端が、ばね受け１７１ｑ、１７１ｐの時計回り方向（周方向）前側の端面に、ばね１７３ａ、１７３ｂの他端が、それぞれ接して、上側からみて、時計回り方向（周方向）における前側に付勢されている。
【０２３６】
プレート押え部１７４は、円環板状の天板部１７４ａと、断面円弧状に形成され天板部１７４ａの外周縁部から下方に延びる側壁部１７４ｂ、１７４ｃ、１７４ｄを所有している。側壁部１７４ｂ、１７４ｃ、１７４ｄ間のそれぞれの隙間部分は、本体部１７１の外壁部１７１ｉ、１７１ｊ、１７１ｋと咬合可能に形成されている。
【０２３７】
円環プレート部１７２が嵌め込まれた、本体部１７１の外壁部１７１ｉ、１７１ｊ、１７１ｋと、プレート押え部１７４の側壁部１７４ｂ、１７４ｃ、１７４ｄの隙間部分とを咬み合わせ、本体部１７１と、プレート押え部１７４とで、円環プレート部１７２を上下方向において挟み込み、さらに、作動筒部１６７が上側から嵌め込まれ、ボルト締め等で、一体化して第二ろくろ部１７０が形成されている。
【０２３８】
上記第二ろくろ部１７０の機能、作用について説明する。本変形例は、二枚の円環状のプレートを一枚の円環状プレートで動作させるものであり、基本的動作は同様であり、上述した第一の変形例と異なる部分のみを説明する。
【０２３９】
図３５に示すように、逆閉じ用傘１０を閉じた状態のときには、円環プレート部１７２は、ばね１７３ａ、１７３ｂにより、上からみて時計回り前側に付勢された状態にあり、被係止部１７２ｅ、１７２ｆがガイド部１５１、１５２の係止部１５１ａ、１５２ａと係止状態にあり、第二ろくろ部１７０が第一ろくろ部１４０に対して下側に移動するのを規制されている。
【０２４０】
逆閉じ用傘１０を開くときには、ストッパー１３１、１３２が誘導部１４７、１４８に誘導されて第一ろくろ部１４０の溝１４２、１４３内に進入して、係合部１７２ａ、１７２ｂの摺動面１７２ｃ、１７２ｄと当接して円環プレート部１７２を上からみて反時計回りに回動させて、係止部１５１ａ、１５２ａと被係止部１７２ｅ、１７２ｆとの係止を解除する。このとき、ガイド部１５１、１５２は、上下方向に短く形成されているので、被係止部１７２ｅ、１７２ｆは、ガイド部１５１、１５２の下側に移動して、第一ろくろ部１４０が第二ろくろ部１７０に対して中棒１３０の上側に向って摺動可能となる。
【０２４１】
その後、円環プレート部１７２は、ばね１７３ａ、１７３ｂの付勢力によりもとの位置に戻り、ストッパー１３１、１３２が、円環プレート部１７２の係合部１７２ａ、１７２ｂと係合することで第二ろくろ部１７０が中棒１３０の下側への移動を規制され、ストッパー１３１、１３２は、底壁１７１ａの受け止め部１７１ｈ、１７１ｇと、それぞれ当接して第二ろくろ部１７０の上側への移動が規制される。よって、第二ろくろ部１７０が中棒１３０の所定位置に停止することになる。
【０２４２】
逆閉じ用傘１０を閉じるときには、円環プレート部１７２の被係止部１７２ｅ、１７２ｆとガイド部１５１、１５２の係止部１５１ａ、１５２ａとが摺接した状態になり、ばね１７３ａ、１７３ｂに抗しながら被係止部１７２ｅ、１７２ｆが反時計回り側に案内される。
【０２４３】
被係止部１７２ｅ、１７２ｆは、ガイド部１５１、１５２による摺動が終わり、ばね１７３ａ、１７３ｂにより時計回り方向の前側に付勢された状態にあり、被係止部１７２ｅ、１７２ｆがガイド部１５１、１５２の係止部１５１ａ、１５２ａと係止状態に案内されるとともに、そして、解除部１５３、１５４が回動作用部１７２ｉ、１７２ｊと当接して円環プレート部１７２を回動させ、ストッパー１３１、１３２と係合部１７２ａ、１７２ｂとの係合を解除する。第二ろくろ部１７０の中棒１３０の所定位置での停止を解除する。
【０２４４】
このような構成としても、かさ生地１００の開閉動作の操作性を高め、かさ生地１００の閉じ時の動作を円滑かつ安定させることができる。
【０２４５】
さらに、円環状の円環プレート部１７２を用いることにより、係合部１７２ａ、１７２ｂ、被係止部１７２ｅ、１７２ｆの移動が、中棒１３０の軸線を中心とする回転運動となり、直線運動させる場合に比べデッドスペースを減少させることができ、第二ろくろ部１７０のサイズを小さくすることが可能となる。円環プレート部１７２を一枚とすることで、部品点数が少なくなり、生産効率を高めることができる。
【０２４６】
上記第二ろくろ部の第三の変形例を、図３７〜４８を用いて説明する。以下の説明において、上記実施形態、変形例と共通する構成については、同一符号を付し説明の全部又は一部を省略する。また、図３９における解除プレート部２０５は、理解を容易にするため、斜め下からみた分解斜視図としている。
【０２４７】
なお、中心線Ｃは、中棒１８０の軸線であるとともに、第一ろくろ部１９０、第二ろくろ部２００の軸線であるものとする。
【０２４８】
中棒１８０には、図３７、４０、４２〜４８等に示すように、第二ろくろ部２００を中棒１８０に対して固定する第二の溝１８１、１８２（図示していない）が配設されている。第二の溝１８１、１８２は、中棒１８０の前後面それぞれに配設されている。
【０２４９】
第二の溝１８１は、上端部が右側に屈曲して形成された屈曲部１８１ａを有している。第二の溝１８２は、上端部が左側に屈曲して形成された屈曲部１８２ａを有している。屈曲部１８１ａ、屈曲部１８２ａは、後述する突出片２０７ｅ、２０７ｆを上下方向において、受け止め可能に形成されている。
【０２５０】
第一ろくろ部１９０は、図３８、４０、４１等に示すように、中棒１８０を挿通可能に形成された挿通孔１９０ａを有し、胴体部１９１と、下側に配設される移動操作部４６と、上側に配設される親骨支持部１４６と、を有している。
【０２５１】
胴体部１９１は、四角筒状に形成され、前側及び後側の壁に前後方向に貫通する第一の溝１９２、１９３が上下方向（中棒１８０の軸線方向）に沿って形成されている。
【０２５２】
第一の溝１９２、１９３は、幅狭部１９２ａ、１９３ａと、幅狭部１９２ａ、１９３ａの上側（中棒１８０の他端側）で幅狭部１９２ａ、１９３ａより幅広に形成された幅広部１９２ｂ、１９３ｂと、を有している。幅広部１９２ｂ、１９３ｂは、後述する２０７ｅ、２０７ｆを屈曲部１８１ａ、屈曲部１８２ａ側に移動可能に形成された突出片ガイド部１９２ｃ、１９３ｃを備えている。本実施形態では、突出片ガイド部１９２ｃは、左側から右側に向かって狭小となるように、突出片ガイド部１９３ｃは、右側から左側に向かって狭小となるように、形成されている。
【０２５３】
胴体部１９１の外周面には、中棒１８０の軸線方向からみて第二の溝１８１、１８２が形成される方向と直交する方向に向かって突出するガイド部１９４、１９５がそれぞれ配設されている。すなわち、右側及び左側の壁の外周面からそれぞれ右側、左側に突出するガイド部１９４、１９５が配設されている。
【０２５４】
ガイド部１９４、１９５は、三角柱状に形成され、ガイド部１９４、１９５の上側の端面は、第二ろくろ部２００が第一ろくろ部１９０に対して下側に移動するのを規制する係止部１９４ａ、１９５ａとして形成されている。
【０２５５】
親骨支持部１４６の下面には、中棒１８０の屈曲部１８１ａ、１８２ａと、第一円環プレート部２０７の突出片２０７ｅ、２０７ｆとの係合を解除可能とする第一解除部１５５、１５６が配設されている。第一解除部１５５、１５６は、親骨支持部１４６の軸線と同心円周上において下方に突出して複数配置され、径方向からみて平面視における時計回り方向（周方向）後側の端部が頂部とされる直角三角形状、かつ、上下方向からみて径方向において厚みを有した円弧状に、形成されている。
【０２５６】
第一解除部１５５、１５６の下側の面が後述する第一回動作用部２０７ａ、２０７ｂと摺動する摺動面１５５ａ、１５６ａとされている。
【０２５７】
第二ろくろ部２００は、図３９〜４１等に示すように、本体部２０１と、第二円環プレート部２０２と、プレート押え部２０４と、解除プレート部２０５と、第一円環プレート部２０７と、作動筒部２０９と、を有している。
【０２５８】
本体部２０１は、底壁２０１ａと、外壁部２０１ｇと、内壁部２０１ｌと、を有している。
【０２５９】
底壁２０１ａは、円盤状に形成され、底壁２０１ａの外周面に上下方向（中棒１８０の軸線方向）に沿って外周面に有底溝として形成された取付溝２０１ｂと、底壁２０１ａの外周面から中棒１８０の軸線に向かって有底溝として形成されたワイヤ溝２０１ｃと、を有している。
【０２６０】
底壁２０１ａは、中棒１８０及びその外側に嵌められた第一ろくろ部１９０の胴体部１９１を挿通して摺動可能とする、矩形状の挿通孔２０１ｄを有している。挿通孔２０１ｄの左右の辺には、胴体部１９１から突出するガイド部１９５、１９４と干渉しないように、挿通孔２０１ｄの左右の辺から外周縁部に向かう有底溝として形成された逃がし溝２０１ｆ、２０１ｅが、配設されている。
【０２６１】
外壁部２０１ｇは、底壁２０１ａの外周端縁から上方に延び、円筒状に形成されている。外壁部２０１ｇは、上端から下端に向かって切り欠かれた切り欠き部２０１ｈ、２０１ｉ、２０１ｊ、２０１ｋを、有している。
【０２６２】
内壁部２０１ｌは、中棒１８０及びその外側に嵌められた第一ろくろ部１９０の胴体部１９１を挿通して摺動可能とする矩形状の挿通孔２０１ｍを有した、円筒状に形成されている。挿通孔２０１ｍは、挿通孔２０１ｄと連通している。
【０２６３】
内壁部２０１ｌは、上下方向に沿って切り欠き部２０１ｎ、２０１ｏを有し、切り欠き部２０１ｎ、２０１ｏをガイド部１９４、１９５が通過可能に形成されている。内壁部２０１ｌは、上端部から下に向かって切り欠かれ、後述する突出片２０７ｅ、２０７ｆと干渉しないように移動可能とする逃がし部２０１ｐ、２０１ｑを有している。
【０２６４】
底壁２０１ａの上面には、上下方向に沿って延びる矩形平板状に形成されたばね受け２０１ｒ、２０１ｓが、配設されている。
【０２６５】
第二円環プレート部２０２は、円環枠状に形成されている。第二円環プレート部２０２の内側には、ガイド部１９４、１９５の係止部１９４ａ、１９５ａと係止可能な被係止部２０２ａ、２０２ｂと、後述する第二解除部２０５ａ、２０５ｂと当接して係止部１９４ａ、１９５ａと被係止部２０２ａ、２０２ｂとの係止を解除する第二回動作用部２０２ｅ、２０２ｆと、が配設されている。
【０２６６】
被係止部２０２ａ、２０２ｂは、第二円環プレート部２０２の内周面から中心線Ｃ（中棒１８０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、被係止部２０２ａは右側、被係止部２０２ｂは左側、に配置されている。
【０２６７】
被係止部２０２ａ、２０２ｂの上側の面がガイド部１９４、１９５と摺動する摺動面２０２ｃ、２０２ｄとされている。
【０２６８】
第二回動作用部２０２ｅ、２０２ｆは、第二円環プレート部２０２の内周面から中心線Ｃ（中棒１８０の軸線）側に突出して配置され、径方向からみて平面視における時計回り方向（周方向）後側の端部が頂部とされる直角三角形状、かつ、上下方向からみて径方向において厚みを有した円弧状に、形成されている。組み付けられた状態において、第二回動作用部２０２ｅは時計回り方向（周方向）における被係止部２０２ｂの後側、第二回動作用部２０２ｆは、時計回り方向（周方向）における被係止部２０２ａの後側、に四つ連なって配置されている。第二回動作用部２０２ｅ、２０２ｆの上側の面が第二解除部２０５ａ、２０５ｂと摺動する摺動面２０２ｇ、２０２ｈとされている。
【０２６９】
第二円環プレート部２０２は、平面視における、時計回り方向（周方向）前側に位置する第二回動作用部２０２ｅ、２０２ｆの近傍に、外周縁から中棒１８０の軸線に向かって円弧状に切り欠いて形成され、付勢部材としてのばね２０３ａ、２０３ｂを配置可能なばね配置部２０２ｉ、２０２ｊを有している。
【０２７０】
第二円環プレート部２０２は、本体部２０１の外壁部２０１ｇと内壁部２０１ｌとの間に上側から嵌め込まれ、中棒１８０の軸線を回動中心として回動移動可能に形成されている。第二円環プレート部２０２は、ばね配置部２０２ｉ、２０２ｊに、ばね２０３ａ、２０３ｂが配置され、ばね配置部２０２ｉ、２０２ｊの時計回り方向（周方向）前側の端面に、ばね２０３ａ、２０３ｂの一端が、ばね受け２０１ｓ、２０１ｒの時計回り方向（周方向）前側の端面に、ばね２０３ａ、２０３ｂの他端が、それぞれ接して、上側からみて、時計回り方向（周方向）における前側に付勢されている。
【０２７１】
プレート押え部２０４は、円環板状の受板部２０４ａと、円筒状に形成され受板部２０４ａの外周縁部から上方に延びる側壁部２０４ｆを有している。
【０２７２】
受板部２０４ａは、本体部２０１の内壁部２０１ｌを挿通可能に形成されるとともに、解除プレート部２０５の第二解除部２０５ａ、２０５ｂを上下方向に沿って通過可能に形成されている。受板部２０４ａの下面には、本体部２０１の外壁部２０１ｇに設けられた切り欠き部２０１ｈ、２０１ｉ、２０１ｊ、２０１ｋと咬合可能に形成され、下方に突出する突出部２０４ｂ、２０４ｃ、２０４ｄ、２０４ｅが配設されている。受板部２０４ａの下面は、第二円環プレート部２０２の上面を受け止め可能に形成されている。受板部２０４ａの上面は、解除プレート部２０５を付勢するばね２０６を受け止め可能に形成されている。
【０２７３】
側壁部２０４ｆの内周面側には、矩形平板状に形成され後述するばね２０８ａ、２０８ｂを受け止めるばね受け２０４ｇ、２０４ｈが、上端縁から受板部２０４ａまで上下方向に沿って配設されている。ばね受け２０４ｇ、２０４ｈは、上部で第一円環プレート部２０７を上下方向に沿って移動するようにガイドするとともに、下部で解除プレート部２０５を上下方向に沿って移動するようにガイドする。
【０２７４】
側壁部２０４ｆの内周面側には、矩形平板状に形成され、解除プレート部２０５をガイドするプレートガイド２０４ｉ、２０４ｊが、上下方向における中央付近から受板部２０４ａまで上下方向に沿って配設されている。
【０２７５】
プレート押え部２０４は、突出部２０４ｂ、２０４ｃ、２０４ｄ、２０４ｅと、本体部２０１の外壁部２０１ｇに設けられた切り欠き部２０１ｈ、２０１ｉ、２０１ｊ、２０１ｋとを咬合させ、本体部２０１と、一体化されている。また、受板部２０４ａと、本体部２０１とで、第二円環プレート部２０２を挟み込んでいる。
【０２７６】
解除プレート部２０５は、円環枠状に形成され、本体部２０１の内壁部２０１ｌを挿通可能に形成されている。
【０２７７】
解除プレート部２０５の下面には、第二回動作用部２０２ｅ、２０２ｆと当接して第二円環プレート部２０２を回動させて係止部１９４ａ、１９５ａと被係止部２０２ａ、２０２ｂとの係止を解除する第二解除部２０５ａ、２０５ｂが配設されている。
【０２７８】
第二解除部２０５ａ、２０５ｂは、中心線Ｃ（中棒１８０の軸線）と同心円周上において下方に突出して複数配置され、径方向からみて平面視における時計回り方向（周方向）前側の端部が頂部とされる直角三角形状、かつ、上下方向からみて径方向において厚みを有した円弧状に、形成されている。
【０２７９】
第二解除部２０５ａ、２０５ｂの下側の面が第二回動作用部２０２ｅ、２０２ｆと摺動する摺動面２０５ｃ、２０５ｄとされている。
【０２８０】
第二解除部２０５ａ、２０５ｂは、プレート押え部２０４の受板部２０４ａの内側を上下方向に沿って通過可能に配設されている。
【０２８１】
解除プレート部２０５の外周縁部には、ばね受け２０４ｇ、２０４ｈと対応するガイド溝２０５ｅ、２０５ｆが、プレートガイド２０４ｉ、２０４ｊと対応するガイド溝２０５ｇ、２０５ｈが、上下方向に沿って配設されている。解除プレート部２０５の下面は、ばね２０６を受け止め可能に形成されている。
【０２８２】
解除プレート部２０５は、プレート押え部２０４の、ばね受け２０４ｇ、２０４ｈにガイド溝２０５ｅ、２０５ｆを、プレートガイド２０４ｉ、２０４ｊにガイド溝２０５ｇ、２０５ｈを、それぞれ配置して上側から嵌め込まれている。
【０２８３】
ばね２０６は、プレート押え部２０４の受板部２０４ａの上面と、解除プレート部２０５の下面と、の間に複数配設され、解除プレート部２０５を上側に付勢している。
【０２８４】
第一円環プレート部２０７は、円環枠状に形成されている。第一円環プレート部２０７の内側には、第一解除部１５５、１５６と当接して屈曲部１８１ａ、１８２ａと、第一円環プレート部２０７の突出片２０７ｅ、２０７ｆとの係合を解除する第一回動作用部２０７ａ、２０７ｂと、屈曲部１８１ａ、１８２ａと係合可能な突出片２０７ｅ、２０７ｆと、が配設されている。
【０２８５】
第一回動作用部２０７ａ、２０７ｂは、第一円環プレート部２０７の内周面から中心線Ｃ（中棒１８０の軸線）側に突出して配置され、径方向からみて平面視における時計回り方向（周方向）前側の端部が頂部とされる直角三角形状、かつ、上下方向からみて径方向において厚みを有した円弧状に、形成されている。第一回動作用部２０７ａ、２０７ｂは、組み付けられた状態において、時計回り方向（周方向）に沿って五つ連なって配置されている。
【０２８６】
第一回動作用部２０７ａ、２０７ｂの上側の面が第一解除部１５５、１５６と摺動する摺動面２０７ｃ、２０７ｄとされている。
【０２８７】
突出片２０７ｅ、２０７ｆは、円柱状に形成され、第一回動作用部２０７ａ、２０７ｂの下側において、第一円環プレート部２０７の内周面から中棒１８０の軸線側に突出して配置されている。突出片２０７ｅ、２０７ｆは、組み付けられた状態において、前側と、後側にそれぞれ配置されている。
【０２８８】
第一円環プレート部２０７は、第一回動作用部２０７ａ、２０７ｂの平面視における時計回り方向（周方向）前側の近傍に、外周縁から中棒１８０の軸線に向かって円弧状に切り欠いて形成され、付勢部材としてのばね２０８ａ、２０８ｂを配置可能なばね配置部２０７ｇ、２０７ｈを有している。
【０２８９】
第一円環プレート部２０７は、プレート押え部２０４内、かつ、解除プレート部２０５の上側に、本体部２０１の内壁部２０１ｌとの間に上側から嵌め込まれ、中棒１８０の軸線を回動中心として回動可能に形成されている。第一円環プレート部２０７は、平面視における、ばね配置部２０７ｇ、２０７ｈに、ばね２０８ａ、２０８ｂが配置され、ばね配置部２０７ｇ、２０７ｈの時計回り方向（周方向）前側の端面に、２０８ａ、２０８ｂの一端が、プレート押え部２０４のばね受け２０４ｇ、２０４ｈの平面視における時計回り方向（周方向）前側の端面に、ばね２０８ａ、２０８ｂの他端が、それぞれ接して、上側からみて、時計回り方向（周方向）における前側に付勢されている。
【０２９０】
作動筒部２０９は、円筒状に形成され、内周面の中央より下側に、内周面から中棒１８０の軸線に向かって突出する突条２０９ａを有している。突条２０９ａの下面が、第一円環プレート部２０７の上面を押えて上方への移動を規制している。
【０２９１】
第二ろくろ部２００は、下から、本体部２０１、第二円環プレート部２０２、プレート押え部２０４、解除プレート部２０５、第一円環プレート部２０７の順に配置され、作動筒部２０９が、上側から嵌められ、本体部２０１とボルト締め等されて、一体化されて、中棒１８０の先端側に延びるように配置されている。
【０２９２】
上記第二ろくろ部２００の機能、作用について説明する。理解を容易にするため図４２〜４８においては、両側部分の構成の一部を省略するとともに、また、手前側にある構成を実線で表わしている。なお、反対側においても、機能作用は同様の動作をするものである。
【０２９３】
図４２は、かさ生地１００を閉じた状態から、第一ろくろ部１９０を中棒１８０の上側に摺動させ、第二円環プレート部２０２は、ばね２０３ａ、２０３ｂにより、上からみて時計回り前側に付勢された状態にあり、被係止部２０２ａ、２０２ｂがガイド部１９４、１９５の係止部１９４ａ、１９５ａと係止状態にあり、第二ろくろ部２００が下側に移動するのを規制されている。また、解除プレート部２０５は、ばね２０６により上側に付勢されて上側に位置している。この状態は図１０に対応する。
【０２９４】
図４２の状態から第一ろくろ部１９０をさらに、上側に押し上げると、突出片２０７ｅが、第二の溝１８１の上端部と当接して第二ろくろ部２００は、それ以上上側に移動できなくなる。
【０２９５】
すると、解除プレート部２０５を付勢しているばね２０６の付勢力に抗して第一円環プレート部２０７及び解除プレート部２０５が第二円環プレート部２０２に近づいていく。換言すれば、第二ろくろ部２００の他の構成に対して下側に移動することになる。
【０２９６】
図４３は、第一円環プレート部２０７及び解除プレート部２０５が少し第二円環プレート部２０２に近づいていた状態を示している。
【０２９７】
解除プレート部２０５が第二円環プレート部２０２に近づくと、図４４に示すように、第二解除部２０５ａ、２０５ｂの摺動面２０５ｃ、２０５ｄが第二回動作用部２０２ｅ、２０２ｆの摺動面２０２ｇ、２０２ｈと当接して第二円環プレート部２０２を、平面視における時計回り方向（周方向）後側に移動させ、被係止部２０２ａ、２０２ｂと係止部１９４ａ、１９５ａとの係止状態を解除する。これにより、第一ろくろ部１９０が第二ろくろ部２００に対して中棒１８０の上側に向かって摺動可能となる。この状態は図１２に対応する。
【０２９８】
また、このとき、突出片ガイド部１９２ｃにより、突出片２０７ｅが平面視における時計回り方向（周方向）後側に少し移動している。
【０２９９】
図４５では、第一の溝１９２の突出片ガイド部１９２ｃにより、第一円環プレート部２０７の突出片２０７ｅが第二の溝１８１の屈曲部１８１ａに誘導されている。これにより、第二ろくろ部２００が中棒１８０に対して上下方向に移動するのを規制される。
【０３００】
そして、第一ろくろ部１９０をさらに、中棒１８０の上側に向かって摺動させると、図４６に示すように、突出片２０７ｅは第一の溝１９２の幅狭部１９２ａに誘導され、周方向への移動を規制され、第一ろくろ部１９０の図示しない移動操作部４６が上はじき２２と係合して、第一ろくろ部１９０が中棒１８０に対して固定される。この状態は図１４に対応する。
【０３０１】
かさ生地１００を閉じるときは、第一ろくろ部１９０を中棒１８０の下側に向かって摺動させる。
【０３０２】
すると、係止部１９４ａ、１９５ａと被係止部２０２ａ、２０２ｂとが摺接して、ばね２０３ａ、２０３ｂに抗しながら被係止部２０２ａ、２０２ｂが、平面視における時計回り方向（周方向）後側に移動する。
【０３０３】
そして、ガイド部１９４、１９５を通過すると、図４８に示すように、被係止部２０２ａ、２０２ｂと係止部１９４ａ、１９５ａとが係止状態となる。
【０３０４】
さらに、第一ろくろ部１９０を移動させると、第一ろくろ部１９０の第一解除部１５５、１５６の摺動面１５５ａ、１５６ａと、第一円環プレート部２０７の第一回動作用部２０７ａ、２０７ｂの摺動面２０７ｃ、２０７ｄとが当接して、突出片２０７ｅを平面視における時計回り方向（周方向）前側に移動させ、中棒１８０と第二ろくろ部２００との係合を解除する。このとき、突出片２０７ｅは、第一の溝１９２、１９３の幅広部１９２ｂ、１９３ｂに位置しているので、移動が規制されることはない。この状態は図１６、１７に対応する。
【０３０５】
上記構成の第二ろくろ部２００とすることにより、かさ生地１００を開く時には、突出片２０７ｅ、２０７ｆが、第二の溝１８１、１８２の上（中棒１８０の他端）側の端部と当接して解除プレート部２０５を中棒１８０の一端側に移動させ、解除プレート部２０５の第二解除部２０５ａ、２０５ｂが第二回動作用部２０２ｅ、２０２ｆと当接して第二円環プレート部２０２を回動させて係止部１９４ａ、１９５ａと被係止部２０２ａ、２０２ｂとの係止を解除するとともに、第一円環プレート部２０７の突出片２０７ｅ、２０７ｆが、突出片ガイド部１９２ｃ、１９３ｃによりガイドされて、屈曲部１８１ａ、１８２ａと係合して、第二ろくろ部２００の上下方向への移動を規制するので、第一ろくろ部１９０を第二ろくろ部２００に対して摺動させることができる。また、かさ生地１００を閉じる時には、第一ろくろ部１９０を第二ろくろ部２００に対して摺動させることで、ガイド部１９４、１９５と被係止部２０２ａ、２０２ｂとが摺動して第二ろくろ部２００を第一ろくろ部１９０に対し係止状態に案内するとともに第一解除部１５５、１５６が第一回動作用部２０７ａ、２０７ｂと当接して第一円環プレート部２０７が回動して、屈曲部１８１ａ、１８２ａと突出片２０７ｅ、２０７ｆとの係合を解除するので、第二ろくろ部２００の中棒１８０の所定位置での停止が解除され、かさ生地１００の開閉動作の操作性を高めることができる。
【０３０６】
また、かさ生地１００を閉じる際に、中棒１８０と第一ろくろ部１９０との係止が解除され、第一ろくろ部１９０を第二ろくろ部２００に対して摺動可能な状態から、第二ろくろ部２００を係止状態に案内して、第一解除部１５５、１５６が第二ろくろ部２００の中棒１８０の所定位置での停止を解除することでかさ生地１００の閉じ時の動作を円滑かつ安定させることができる。
【０３０７】
さらに、円環状の第一円環プレート部２０７、第二円環プレート部２０２を用いることにより、突出片２０７ｅ、２０７ｆ、被係止部２０２ａ、２０２ｂの移動が、中棒１８０の軸線を中心とする回転運動となり、直線運動させる場合に比べデッドスペースを減少させることができ、第二ろくろ部２００のサイズを小さくすることが可能となる。
【０３０８】
本発明の逆閉じ用傘１０は上記構成に限定されるものではない。即ち、本発明の要旨を逸脱しない限り各種の設計変更等が可能である。
【０３０９】
例えば、親骨７０、第一受骨８０、第二受骨９０は、それぞれ８本で構成されているが、かさ生地１００を開閉できるのであれば、適宜変更することも可能である。
【０３１０】
また、第二受骨９０は、外摺動部９１ａと内摺動部９２ａとを摺動させて伸縮可能としているが、弾性部材を用いて伸縮させることも可能である。
【０３１１】
また、ガイド部４２、４２は、前側、後側に突出するように形成されているが、中棒２０の形状等使用態様に応じて、突出方向を中棒２０の軸線方向に直交する方向のいずれかの方向に適宜変更することができる。ガイド部４２、４２の突出方向を変更させた場合、その突出方向に対応して、ロック部５２は、係止部４２ａと被係止部５２ｂとが係止可能となるように、移動方向を中棒２０の軸線方向に直交する方向のいずれかに適宜変更することができる。
【０３１２】
また、ロック部５２の付勢部材は、ばね５３を用いているが、他の弾性部材を用いて付勢することも可能である。
【０３１３】
また、中棒２０は、四角筒状以外の多角筒、円筒、長円筒、楕円筒形状等にすることができる。
【０３１４】
また、第一ろくろ部４０は、親骨支持部４８と胴体部４１とを別体に形成することもできる。
【０３１５】
また、ストッパー部材２３以外にも、例えば、中棒２０側に溝を形成し、第二ろくろ部５０に既存のフック等を用いる等して、第二ろくろ部５０を係止状態にすることも可能である。
【０３１６】
また、親骨本体部７２の長さは、かさ生地１００の開き動作をスムーズに行なうために、中棒２０からかさ生地１００の外周縁までの長さＬより、短めに設定することもできる。
【０３１７】
また、作動筒部５６は、親骨元部７１の開閉動作をスムーズに行なうため、例えば、上側に向かって広いテーパ状に形成したり、上下方向の長さを適宜変更することができる。
【０３１８】
また、補助かさ生地１０２は、かさ生地１００が完全に開いた状態において、中棒２０の軸線方向からみて、多角形状、星形状、花弁形状等、適宜変更することができる。
【０３１９】
また、かさ生地１００は、主かさ生地１０１を、第一ろくろ部４０の親骨支持部４８の上側に装着し、補助かさ生地１０２を、中棒２０の上側の端部に装着して、主かさ生地１０１と補助かさ生地１０２とを重ね合わせることもできる。
【０３２０】
このような構成としても、上記実施形態同様に、親骨７０を中棒２０に向かって閉じるように付勢するとともにかさ生地１００の体裁を良好なものとすることができ、雨水がハンドル３０側に進入することを防止することができる。
【符号の説明】
【０３２１】
１０  逆閉じ用傘
２０  中棒
２３  ストッパー部材
３０  ハンドル
３２  持ち手部
４０  第一ろくろ部
４１ａ  溝
４２  ガイド部
４２ａ  係止部
４３  解除部
４６ｃ  当接部
５０  第二ろくろ部
５２  ロック部
５２ｂ  被係止部
５６  作動筒部
６０  第三ろくろ
７０  親骨
７１  親骨元部
７２  親骨本体部
８０  第一受骨
９０  第二受骨
９１  元部
９１ａ  外摺動部
９２  先部
９２ａ  内摺動部
１００  かさ生地
１０１  主かさ生地
１０１ａ  表面
１０１ｂ  裏面
１０２  補助かさ生地
１１０  親骨
１１２  親骨本体部
１１３  元部
１１３ａ  外摺動部
１１４  先部
１１４ａ  内摺動部
１２０  第二受骨
Ｌ  長さ
１３０  中棒
１３１  ストッパー
１３２  ストッパー
１４０  第一ろくろ部
１４２  溝
１４３  溝
１４４  ガイド部
１４４ａ  係止部
１４５  ガイド部
１４５ａ  係止部
１４７  誘導部
１４８  誘導部
１４９  解除部
１５０  解除部
１５１  ガイド部
１５２  ガイド部
１５１ａ  係止部
１５２ａ  係止部
１５３  解除部
１５４  解除部
１５５  第一解除部
１５６  第一解除部
１６０  第二ろくろ部
１６２  第二円環プレート部
１６２ａ  被係止部
１６２ｂ  被係止部
１６２ｅ  第二回動作用部
１６２ｆ  第二回動作用部
１６５  第一円環プレート部
１６５ａ  係合部
１６５ｂ  係合部
１６５ｅ  第一回動作用部
１６５ｆ  第一回動作用部
１６７  作動筒部
１７０  第二ろくろ部
１７２  円環プレート部
１７２ａ  係合部
１７２ｂ  係合部
１７２ｅ  被係止部
１７２ｆ  被係止部
１７２ｉ  回動作用部
１７２ｊ  回動作用部
１８０  中棒
１８１  第二の溝
１８１ａ  屈曲部
１８２  第二の溝
１８２ａ  屈曲部
１９０  第一ろくろ部
１９２  第一の溝
１９３  第一の溝
１９２ａ  幅狭部
１９２ｂ  幅広部
１９２ｃ  突出片ガイド部
１９３ａ  幅狭部
１９３ｂ  幅広部
１９３ｃ  突出片ガイド部
１９４  ガイド部
１９４ａ  係止部
１９５  ガイド部
１９５ａ  係止部
２００  第二ろくろ部
２０２  第二円環プレート部
２０２ａ  被係止部
２０２ｂ  被係止部
２０２ｅ  第二回動作用部
２０２ｆ  第二回動作用部
２０５  解除プレート部
２０５ａ  第二解除部
２０５ｂ  第二解除部
２０７  第一円環プレート部
２０７ａ  第一回動作用部
２０７ｂ  第一回動作用部
２０７ｅ  突出片
２０７ｆ  突出片
【図１】
2014057732.tif 000003
【図２】
2014057732.tif 000004
【図３】
2014057732.tif 000005
【図４】
2014057732.tif 000006
【図５】
2014057732.tif 000007
【図６】
2014057732.tif 000008
【図７】
2014057732.tif 000009
【図８】
2014057732.tif 000010
【図９】
2014057732.tif 000011
【図１０】
2014057732.tif 000012
【図１１】
2014057732.tif 000013
【図１２】
2014057732.tif 000014
【図１３】
2014057732.tif 000015
【図１４】
2014057732.tif 000016
【図１５】
2014057732.tif 000017
【図１６】
2014057732.tif 000018
【図１７】
2014057732.tif 000019
【図１８】
2014057732.tif 000020
【図１９】
2014057732.tif 000021
【図２０】
2014057732.tif 000022
【図２１】
2014057732.tif 000023
【図２２】
2014057732.tif 000024
【図２３】
2014057732.tif 000025
【図２４】
2014057732.tif 000026
【図２５】
2014057732.tif 000027
【図２６】
2014057732.tif 000028
【図２７】
2014057732.tif 000029
【図２８】
2014057732.tif 000030
【図２９】
2014057732.tif 000031
【図３０】
2014057732.tif 000032
【図３１】
2014057732.tif 000033
【図３２】
2014057732.tif 000034
【図３３】
2014057732.tif 000035
【図３４】
2014057732.tif 000036
【図３５】
2014057732.tif 000037
【図３６】
2014057732.tif 000038
【図３７】
2014057732.tif 000039
【図３８】
2014057732.tif 000040
【図３９】
2014057732.tif 000041
【図４０】
2014057732.tif 000042
【図４１】
2014057732.tif 000043
【図４２】
2014057732.tif 000044
【図４３】
2014057732.tif 000045
【図４４】
2014057732.tif 000046
【図４５】
2014057732.tif 000047
【図４６】
2014057732.tif 000048
【図４７】
2014057732.tif 000049
【図４８】
2014057732.tif 000050
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
一端側にハンドルを有する中棒と、前記中棒の外側に嵌められるとともに前記中棒に対して摺動可能に配設される第一ろくろ部と、前記第一ろくろ部の外側に嵌められるとともに前記第一ろくろ部に対して摺動可能に配設される第二ろくろ部と、を備えて三重軸構造に構成され、
一端を前記第一ろくろ部に対して回動可能に支持されるとともにかさ生地を装着した親骨と、
一端を前記第二ろくろ部に対して回動可能に支持されるとともに他端を親骨と回動可能に支持される第一受骨とを備え、
前記かさ生地を閉じている状態では、前記親骨は前記かさ生地とともに、前記中棒側に向かって折り畳まれて、前記かさ生地の表面が内部に収納された状態にあり、
前記第一ろくろ部を前記中棒に対して前記中棒の他端側に摺動させるとともに、前記第一ろくろ部を前記第二ろくろ部に対して前記中棒の他端側に摺動させることによって、前記親骨を前記第一受骨で支持固定して前記かさ生地を完全に開いた状態に作用させる逆閉じ用傘であって、
前記第一ろくろ部の外側に嵌められるとともに前記第一ろくろ部に対して摺動可能に配設され、前記第二ろくろ部より前記中棒の一端側に配設された第三ろくろを有し、
一端が前記親骨の前記第一受骨を支持する部分より先端側において回動可能に支持され、他端が前記第三ろくろに対して回動可能に支持される第二受骨を有していることを特徴とする逆閉じ用傘。
【請求項２】
前記第一ろくろ部の前記中棒の一端側の端部には、前記第一ろくろ部を前記第二ろくろ部に対して前記中棒の他端側に摺動させる際に、前記第三ろくろと当接可能な当接部が配設され、
前記第二受骨又は前記親骨が伸縮可能に形成されていることを特徴とする請求項１記載の逆閉じ用傘。
【請求項３】
前記親骨が、一端を前記第一ろくろ部に対して回動可能に支持される親骨元部と、一端を前記親骨元部の他端で回動可能に支持される親骨本体部と、を有し、
前記親骨本体部の長さが、前記中棒の軸線方向からみて、前記かさ生地を完全に開いた状態における、前記中棒から前記かさ生地の外周縁までの長さ以下の長さに形成され、
前記第二ろくろ部には、前記中棒の他端側方向に延びて前記親骨元部を収納可能な筒状の作動筒部が配設され、
前記親骨元部の前記第一ろくろ部に支持される部分が、前記かさ生地の閉じ時には前記作動筒部内に位置し、前記かさ生地を完全に開いた状態には前記作動筒部外に位置することを特徴とする請求項２記載の逆閉じ用傘。
【請求項４】
前記かさ生地が、主かさ生地と、補助かさ生地と、を有して袋状に形成され、
前記補助かさ生地が、前記中棒の軸線方向からみて、前記かさ生地を完全に開いた状態において、前記中棒から所定範囲で前記主かさ生地と重ねられ、外周縁部で前記主かさ生地と縫合され、
前記主かさ生地が、前記中棒の他端側の端部と装着され、前記補助かさ生地が、前記第一ろくろ部の前記中棒の他端側の端部と装着され、
又は、
前記主かさ生地が、前記第一ろくろ部の前記中棒の他端側の端部と装着され、前記補助かさ生地が、前記中棒の他端側の端部と装着されている
ことを特徴とする請求項１〜３のいずれかに記載の逆閉じ用傘。
【請求項５】
前記ハンドルが、前記中棒の一端側の端部から延設され、前記ハンドルの持ち手部分が、前記中棒の軸線から外れた位置にあることを特徴とする請求項４記載の逆閉じ用傘。
【請求項６】
前記ハンドルが、着脱可能に形成され、前記中棒の両端部に装着可能に形成されていることを特徴とする請求項５記載の逆閉じ用傘。
【手続補正２】
【補正対象書類名】明細書
【補正対象項目名】００１２
【補正方法】変更
【補正の内容】
【００１２】
また、第一ろくろ部の中棒の一端側の端部には、第一ろくろ部を第二ろくろ部に対して中棒の他端側に摺動させる際に、第三ろくろと当接可能な当接部が配設され、第二受骨又は親骨が伸縮可能に形成されている。
【手続補正３】
【補正対象書類名】明細書
【補正対象項目名】００１３
【補正方法】変更
【補正の内容】
【００１３】
これによれば、当接部が第三ろくろと当接して、第三ろくろを中棒の他端側に摺動させるとともに第二受骨を動作に対応した長さに縮小させ、又は、親骨を動作に対応した長さに伸長させるので、親骨の回動がスムーズになり、かさ生地の開閉動作をスムーズに行うことに寄与する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３５
【補正方法】変更
【補正の内容】
【００３５】
【図１】本発明における一実施形態の逆閉じ用傘を閉じた状態の正面図である。
【図２】逆閉じ用傘を開く際の動作の説明図である。
【図３】逆閉じ用傘を開く際の動作の説明図である。
【図４】逆閉じ用傘を開く際の動作の説明図である。
【図５】逆閉じ用傘を開く際の動作の説明図である。
【図６】本発明における一実施形態の逆閉じ用傘を開いた状態の正面図である。
【図７】逆閉じ用傘を閉じる際の動作の説明図である。
【図８】逆閉じ用傘を閉じる際の動作の説明図である。
【図９】逆閉じ用傘を閉じ終わった状態の正面図である。
【図１０】図１における第二ろくろ部周辺の動作説明図である。
【図１１】図２における第二ろくろ部周辺の動作説明図である。
【図１２】図３における第二ろくろ部周辺の動作説明図である。
【図１３】図４における第二ろくろ部周辺の動作説明図である。
【図１４】図６における第二ろくろ部周辺の動作説明図である。
【図１５】図７における第二ろくろ部周辺の動作説明図である。
【図１６】図８における第二ろくろ部周辺の動作説明図である。
【図１７】図９における第二ろくろ部周辺の動作説明図である。
【図１８】第一ろくろ部、第二ろくろ部、ストッパー部材の分解斜視図である。
【図１９】第一ろくろ部、親骨、第一受骨、第二受骨と逆閉じ用傘を開いた状態の関係を示す部分拡大図である。
【図２０】第一ろくろ部、第三ろくろ、親骨、第一受骨、第二受骨と逆閉じ用傘を閉じた状態の関係を示す部分拡大図である。
【図２１】（ａ）閉じた状態のかさ生地の装着状態をあわらし、（ｂ）開いた状態をあらわす概念図である。
【図２２】本発明における一実施形態の逆閉じ用傘の変形例の閉じた状態の正面図である。
【図２３】本発明における一実施形態の逆閉じ用傘の変形例の開く途中の状態の正面図である。
【図２４】本発明における一実施形態の逆閉じ用傘の変形例の開いた状態の正面図である。
【図２５】本発明における逆閉じ用傘の第二ろくろ部の第一の変形例の閉じた状態の正面図である。
【図２６】第一の変形例の第一ろくろ部の（ａ）は平面図、（ｂ）は底面図、（ｃ）は側面図、（ｄ）は（ａ）を９０度回転させた平面図、（ｅ）は（ｂ）を９０度回転させた底面図、（ｆ）は（ｃ）を９０度回転させた正面図である。
【図２７】第一の変形例の分解斜視図である。
【図２８】第一の変形例の（ａ）は中棒、第一ろくろ部の平面図、（ｂ）は（ａ）を平面視において９０度回転させた図、第二ろくろ部を分解した状態における（ｃ）が縦断面図、（ｄ）が平面図、（ｅ）は（ｃ）を９０度回転させた図である。
【図２９】第一の変形例の第二ろくろ部の、左列が平面図、側面図であり、右列が９０度回転させたときの平面図、正面図である。
【図３０】第一の変形例の第二ろくろ部周辺の動作説明図である。
【図３１】第一の変形例の第二ろくろ部周辺の動作説明図である。
【図３２】第一の変形例の第二ろくろ部周辺の動作説明図である。
【図３３】第一の変形例の第二ろくろ部周辺の動作説明図である。
【図３４】第一の変形例の第二ろくろ部周辺の動作説明図である。
【図３５】本発明における逆閉じ用傘の第二ろくろ部の第二の変形例の左側が側面図であり、右側が正面図である。
【図３６】第二の変形例の第二ろくろ部を分解した状態における左列が縦断面図、中央列が平面図、右列が縦断面図を９０度回転させた断面図である。
【図３７】本発明における逆閉じ用傘の第二ろくろ部の第三の変形例の中棒、ハンドルの正面図である。
【図３８】第三の変形例の第一ろくろ部の正面図、側面図である。
【図３９】第三の変形例の、解除プレート部を除いて、斜め上からみた分解斜視図である。解除プレート部は斜め下からみた分解斜視図である。
【図４０】第三の変形例の左側が正面図であり、右側が側面図である。
【図４１】第三の変形例の第二ろくろ部を分解した状態における左列が縦断面図、中央列が平面図、右列が縦断面図を９０度回転させた断面図である。
【図４２】第三の変形例の第二ろくろ部周辺の動作説明図である。
【図４３】第三の変形例の第二ろくろ部周辺の動作説明図である。
【図４４】第三の変形例の第二ろくろ部周辺の動作説明図である。
【図４５】第三の変形例の第二ろくろ部周辺の動作説明図である。
【図４６】第三の変形例の第二ろくろ部周辺の動作説明図である。
【図４７】第三の変形例の第二ろくろ部周辺の動作説明図である。
【図４８】第三の変形例の第二ろくろ部周辺の動作説明図である。
【手続補正２１】
【補正対象書類名】明細書
【補正対象項目名】０１０５
【補正方法】変更
【補正の内容】
【０１０５】
図１５においては、ロック部５２の被係止部５２ｂとガイド部４２とが摺接した状態であり、ガイド部４２の右側の端面によって、ばね５３に抗しながら被係止部５２ｂが右側に案内される。
【手続補正２２】
【補正対象書類名】明細書
【補正対象項目名】０１０７
【補正方法】変更
【補正の内容】
【０１０７】
図１６においては、ロック部５２は、ガイド部４２による案内が終わり、ばね５３により左側に付勢された状態にあり、被係止部５２ｂがガイド部４２の係止部４２ａと係止状態にある。そして、ストッパー部材２３が解除部４３を通過し始め、溝４１ａ内から退出するとともに中棒２０内に押し込まれ、トリガー部５５ａの下側の端面５５ｄと下突片２４の端面２４ａとの係合を解除するとともにトリガー部５５ａが下突片２４を乗り超えて下側に向かって移動する。
図９においては、第一ろくろ部４０の移動が完了して、移動操作部４６においてハンドル３０と係合するとともに下はじき２１で固定され図１の状態と同じ状態に戻った状態をあらわしている。第二受骨９０は最大に延びた状態で、第三ろくろ６０は第二ろくろ部５０側に引き寄せられた状態にある。
【手続補正２３】
【補正対象書類名】明細書
【補正対象項目名】０１４１
【補正方法】変更
【補正の内容】
【０１４１】
この時、第三ろくろ６０が当接部４６ｃにより作動筒部５６内に押し上げられつつ、親骨元部７１の親骨支持部４８に支持された部分が押し上げられ、図２４に示すように、各親骨１１０が下側に湾曲し、かさ生地１００が完全に開いた状態となる。
【手続補正２４】
【補正対象書類名】明細書
【補正対象項目名】０１４５
【補正方法】変更
【補正の内容】
【０１４５】
中棒１３０には、図２５、２８、２９等に示すように、第二ろくろ部１６０を中棒１３０の所定位置に固定するストッパー１３１、１３２が配設されている。
【手続補正２５】
【補正対象書類名】明細書
【補正対象項目名】０１５１
【補正方法】変更
【補正の内容】
【０１５１】
ガイド部１４４、１４５の上側の端面は、第二ろくろ部１６０の下側への移動を規制する係止部１４４ａ、１４５ａとして形成されている。
【手続補正２６】
【補正対象書類名】明細書
【補正対象項目名】０１８６
【補正方法】変更
【補正の内容】
【０１８６】
第一円環プレート部１６５は、平面視において、係合部１６５ａと第一回動作用部１６５ｆとの中間位置、係合部１６５ｂと第一回動作用部１６５ｅとの中間位置に、外周縁から中心線Ｃ（中棒１３０の軸線）に向かって円弧状に切り欠いて形成され、付勢部材としてのばね１６８ａ、１６８ｂを配置可能なばね配置部１６５ｉ、１６５ｊを有している。
【手続補正２７】
【補正対象書類名】明細書
【補正対象項目名】０１８７
【補正方法】変更
【補正の内容】
【０１８７】
第一円環プレート部１６５は、支持部１６４の外壁部１６４ｇ、１６４ｈ、１６４ｉと内壁部１６４ｊ、１６４ｋ、１６４ｌ、１６４ｍとの間に上側から嵌め込まれ、中心線Ｃ（中棒１３０の軸線）を回動中心として回動移動可能に形成されている。第一円環プレート部１６５は、平面視における、ばね配置部１６５ｉ、１６５ｊに、ばね１６８ａ、１６８ｂが配置され、ばね配置部１６５ｉ、１６５ｊの時計回り方向（周方向）前側の端面に、ばね１６８ａ、１６８ｂの一端が、ばね受け１６４ｏ、１６４ｎの時計回り方向（周方向）前側の端面に、ばね１６８ａ、１６８ｂの他端が、それぞれ接して、上側からみて、時計回り方向（周方向）における前側に付勢されている。
【手続補正２８】
【補正対象書類名】明細書
【補正対象項目名】０１９２
【補正方法】変更
【補正の内容】
【０１９２】
第二円環プレート部１６２が嵌め込まれた本体部１６１の外壁部１６１ｋ、１６１ｌ、１６１ｍを、第一円環プレート部１６５が嵌め込まれた支持部１６４の外壁部１６４ｇ、１６４ｈ、１６４ｉの隙間部分と咬み合わせ、下から、本体部１６１、第二円環プレート部１６２、支持部１６４、第一円環プレート部１６５の順に配置する。プレート押え部１６６が、上側から嵌められ、切り欠き部１６７ａと側壁部１６６ｂ、切り欠き部１６７ｂと側壁部１６６ｃ、切り欠き部１６７ｃと側壁部１６６ｄ、をそれぞれ咬合させ、プレート押え部１６６及び作動筒部１６７が支持部１６４とボルト締め等されて、一体化されて第二ろくろ部１６０が形成されている
【手続補正２９】
【補正対象書類名】明細書
【補正対象項目名】０１９７
【補正方法】変更
【補正の内容】
【０１９７】
そして、図３１に示すように、第一円環プレート部１６５は、ばね１６８ａ、１６８ｂの付勢力によりもとの位置に戻り、第一円環プレート部１６５の係合部１６５ａと係合することで、第二ろくろ部１６０が中棒１３０の下側への移動を規制された状態にある。
【手続補正３０】
【補正対象書類名】明細書
【補正対象項目名】０２０２
【補正方法】変更
【補正の内容】
【０２０２】
図３３は、第一ろくろ部１４０を中棒１３０に対して下側に移動させ、第二円環プレート部１６２の被係止部１６２ａ、１６２ｂとガイド部１４４、１４５とが摺接する直前の状態を示している。このとき、係合部１６５ａの下側の端面とストッパー１３１の上側の端面とが当接して、第二ろくろ部１６０が中棒１３０の下側に移動するのを規制されている。
【手続補正３１】
【補正対象書類名】明細書
【補正対象項目名】０２１８
【補正方法】変更
【補正の内容】
【０２１８】
第二ろくろ部１７０は、図３５、３６に示すように、本体部１７１と、円環プレート部１７２と、プレート押え部１７４と、を有している。
【手続補正３２】
【補正対象書類名】明細書
【補正対象項目名】０２４２
【補正方法】変更
【補正の内容】
【０２４２】
逆閉じ用傘１０を閉じるときには、円環プレート部１７２の被係止部１７２ｅ、１７２ｆとガイド部１５１、１５２とが摺接した状態になり、ばね１７３ａ、１７３ｂに抗しながら被係止部１７２ｅ、１７２ｆが反時計回り側に案内される。
【手続補正３３】
【補正対象書類名】明細書
【補正対象項目名】０２５２
【補正方法】変更
【補正の内容】
【０２５２】
第一の溝１９２、１９３は、幅狭部１９２ａ、１９３ａと、幅狭部１９２ａ、１９３ａの上側（中棒１８０の他端側）で幅狭部１９２ａ、１９３ａより幅広に形成された幅広部１９２ｂ、１９３ｂと、を有している。幅広部１９２ｂ、１９３ｂは、後述する突出片２０７ｅ、２０７ｆを屈曲部１８１ａ、屈曲部１８２ａ側に移動可能に形成された突出片ガイド部１９２ｃ、１９３ｃを備えている。本実施形態では、突出片ガイド部１９２ｃは、左側から右側に向かって狭小となるように、突出片ガイド部１９３ｃは、右側から左側に向かって狭小となるように、形成されている。
【手続補正３４】
【補正対象書類名】明細書
【補正対象項目名】０２８９
【補正方法】変更
【補正の内容】
【０２８９】
第一円環プレート部２０７は、プレート押え部２０４内、かつ、解除プレート部２０５の上側に、本体部２０１の内壁部２０１ｌとの間に上側から嵌め込まれ、中棒１８０の軸線を回動中心として回動可能に形成されている。第一円環プレート部２０７は、平面視における、ばね配置部２０７ｇ、２０７ｈに、ばね２０８ａ、２０８ｂが配置され、ばね配置部２０７ｇ、２０７ｈの時計回り方向（周方向）前側の端面に、ばね２０８ａ、２０８ｂの一端が、プレート押え部２０４のばね受け２０４ｇ、２０４ｈの平面視における時計回り方向（周方向）前側の端面に、ばね２０８ａ、２０８ｂの他端が、それぞれ接して、上側からみて、時計回り方向（周方向）における前側に付勢されている。
【手続補正３５】
【補正対象書類名】明細書
【補正対象項目名】０３０４
【補正方法】変更
【補正の内容】
【０３０４】
さらに、第一ろくろ部１９０を移動させると、第一ろくろ部１９０の第一解除部１５５、１５６の摺動面１５５ａ、１５６ａと、第一円環プレート部２０７の第一回動作用部２０７ａ、２０７ｂの摺動面２０７ｃ、２０７ｄとが当接して、突出片２０７ｅを平面視における時計回り方向（周方向）前側に移動させ、中棒１８０と第二ろくろ部２００との係合を解除する。このとき、突出片２０７ｅ、２０７ｆは、第一の溝１９２、１９３の幅広部１９２ｂ、１９３ｂに位置しているので、移動が規制されることはない。この状態は図１６、１７に対応する。
【手続補正３６】
【補正対象書類名】図面
【補正対象項目名】図２８
【補正方法】変更
【補正の内容】
【図２８】
2014057732.tif 000051
【手続補正３７】
【補正対象書類名】図面
【補正対象項目名】図２９
【補正方法】変更
【補正の内容】
【図２９】
2014057732.tif 000052
【国際調査報告】
2014057732.tif 000053
2014057732.tif 000054
2014057732.tif 000055
2014057732.tif 000056